(57)【要約】  本開示は、拡張可能な荷物組立体を含み、拡張可能な荷物組立体は、複数の側壁を有する上部シェルと、上部シェルの複数の側壁のうちの１つ以上に取り外し可能に結合されている複数の側壁を有する下部シェルと、上部シェルに結合されている棚と、下部シェルに結合されている複数のホイールと、２つのハンドルとを備えていてよい。２つのハンドルの各ハンドルは、上部シェルの上に配置されたクロスバーと、クロスバーに結合され、上部シェルにスライド可能に結合されている第１管と、第１管にスライド可能に結合され、上部シェルに隣接しうる第２管と、第２管にスライド可能に結合され、下部シェルに結合されている第３管とを備えている。
2021517039.tif 000002
【特許請求の範囲】
【請求項１】
複数の上部側壁を有する上部シェルと、
前記上部シェルの前記複数の上部側壁のうちの１つ以上に取り外し可能に結合されている複数の下部側壁を有する下部シェルと、
前記上部シェルに結合されている棚と、
前記下部シェルに結合されている複数のホイールと、
２つのハンドルとを備え、
前記２つのハンドルの各ハンドルは、
前記上部シェルの上に配置されたクロスバーと、
前記クロスバーに結合され、前記上部シェルにスライド可能に結合されている第１管と、
前記第１管にスライド可能に結合され、前記上部シェルに隣接しうるラジアル面を有する第２管と、
前記第２管にスライド可能に結合され、前記下部シェルに結合されている第３管とを備えている、拡張可能な荷物組立体。
【請求項２】
前記第１管は、前記上部シェルを貫通して伸びる請求項１記載の拡張可能な荷物組立体。
【請求項３】
前記ラジアル面は、前記上部シェルの内面に隣接しうる請求項１記載の拡張可能な荷物組立体。
【請求項４】
前記第２管の一部は、前記複数の下部側壁の間に配置されうる請求項１記載の拡張可能な荷物組立体。
【請求項５】
前記上部シェルは、
上部と、
前記上部に取り外し可能に結合されている下部と、
前記下部に結合され、皺付きである拡張カーテンとを備えている請求項１記載の拡張可能な荷物組立体。
【請求項６】
前記第３管の一部は、前記複数の下部側壁の間に配置されている請求項１記載の拡張可能な荷物組立体。
【請求項７】
前記下部シェルはさらに、前記第３管の端部に結合されているベースを備えている請求項１記載の拡張可能な荷物組立体。
【請求項８】
上部シェルであって、１つ以上のブラケットを有する上部と、下部とを含む上部シェルと、
前記上部に結合されている棚と、
下部シェルと、
前記下部シェルのベースに結合されている複数のホイールと、
２つのハンドルとを備え、
前記２つのハンドルの各ハンドルは、
前記１つ以上のブラケットのうち少なくとも１つのブラケットに取り外し可能に結合されているクロスバーと、
前記クロスバーに結合された第１部分と、前記下部シェルの前記ベースに結合された第２部分とを有し、前記第２部分は前記上部シェルの内面に隣接しうるラジアル面を伴う、伸縮シャフトとを備えている、拡張可能な荷物組立体。
【請求項９】
前記棚は、前記上部シェルの前記上部の内面に結合されている請求項８記載の拡張可能な荷物組立体。
【請求項１０】
前記上部シェルの前記下部の内面に結合されている棚をさらに備えている請求項８記載の拡張可能な荷物組立体。
【請求項１１】
複数のストラップをさらに備え、
前記複数のストラップの各ストラップは、
前記上部シェルの前記上部に結合されている第１部分と、
前記棚に結合されている第２部分と、
前記第１部分及び前記第２部分に結合されているクリップバックルとを備えている請求項８記載の拡張可能な荷物組立体。
【請求項１２】
前記上部シェルの前記下部に結合されている第１棚と、
前記第１棚に取り外し可能に結合されている第２棚とをさらに備えている請求項８記載の拡張可能な荷物組立体。
【請求項１３】
各ハンドルの前記伸縮シャフトは、前記上部シェルを貫通して伸びる部分を有する請求項８記載の拡張可能な荷物組立体。
【請求項１４】
前記２つのハンドルの各ハンドルの各伸縮シャフトの一部の周りに配置されているスリーブをさらに備えている請求項８記載の拡張可能な荷物組立体。
【請求項１５】
前記伸縮シャフトの前記第２部分は、前記下部シェルの中に配置されている請求項８記載の拡張可能な荷物組立体。
【請求項１６】
上部シェルと、
前記上部シェルに取り外し可能に結合されている中間シェルと、
前記中間シェルに取り外し可能に結合されている下部シェルと、
前記下部シェルのベースに結合されている複数のホイールと、
２つのハンドルとを備え、
前記２つのハンドルの各ハンドルは、
前記下部シェルの内面に結合されている伸縮シャフトであって、前記上部シェルを貫通して伸びる第１シャフト部分と、前記上部シェルの内面に隣接しうるラジアル面を伴う第２シャフト部分とを有する伸縮シャフトと、
前記伸縮シャフトに結合されているクロスバーであり、前記上部シェルの上部がクロスバーに結合されうるクロスバーとを備えている、拡張可能な荷物組立体。
【請求項１７】
前記上部シェルに結合されている第１ジッパーテープと、
前記中間シェルの上エッジに結合され、前記第１ジッパーテープに取り外し可能に結合されている第２ジッパーテープと、
前記中間シェルの下エッジに結合されている第３ジッパーテープと、
前記下部シェルに結合され、前記第３ジッパーテープに取り外し可能に結合されている第４ジッパーテープとをさらに備えている請求項１６記載の拡張可能な荷物組立体。
【請求項１８】
前記中間シェルの中に配置された１つ以上の棚をさらに備えている請求項１６記載の拡張可能な荷物組立体。
【請求項１９】
前記第２シャフト部分は前記中間シェルの中に配置されている請求項１６記載の拡張可能な荷物組立体。
【請求項２０】
前記中間シェルは、
第１側面と、
通孔を有する第２側面と、
前記第１側面と結合され、前記通孔を貫通して伸びる部分を有するグリップとを備えている請求項１６記載の拡張可能な荷物組立体。
【発明の詳細な説明】
【技術分野】
【０００１】
本願、及びその結果となる特許の分野は、荷物組立体（かばん組立体）である。
【背景技術】
【０００２】
この特許の書面に現れる参考文献に開示されている方法及び構造のいくつかを含む、旅行用品を収納するための様々な拡張可能な荷物組立体及び方法が提案され、利用されてきた。しかしながら、それらの方法及び構造は、以下の請求項によってカバーされる方法及び／又は構造の、ステップ及び／又は特徴の組み合わせを欠いている。さらに、この発行される特許の請求項の少なくともいくつかによってカバーされる方法及び／又は構造は、従来技術の方法及び構造が解決できなかった問題の多くを解決すると想定するものである。また、この特許の請求項の少なくとも一部によってカバーされる方法及び／又は構造は、本出願の出願日時点で存在する先行技術の知識を有する当業者にとって驚くべき及び予想外の利益を有する。
【発明の概要】
【０００３】
本明細書の開示は、拡張可能な荷物組立体を含み、拡張可能な荷物組立体は、複数の側壁を有する上部シェルと、上部シェルの複数の側壁のうちの１つ以上に取り外し可能に結合されている複数の側壁を有する下部シェルと、上部シェルに結合されている棚と、下部シェルに結合されている複数のホイールと、２つのハンドルとを含んでよい。２つのハンドルの各ハンドルは、上部シェルの上に配置されたクロスバーと、クロスバーに結合され、上部シェルにスライド可能に結合されている第１管と、第１管にスライド可能に結合され、上部シェルに隣接しうる第２管と、第２管にスライド可能に結合され、下部シェルに結合されている第３管とを備えている。
【０００４】
本明細書の開示は、拡張可能な荷物組立体を含み、拡張可能な荷物組立体は、１つ以上のブラケットを有する上部と、下部と、上部に結合されている棚と、下部シェルと、下部シェルのベースに結合されている複数のホイールと、２つのハンドルとを含んでよい。２つのハンドルの各ハンドルは、１つ以上のブラケットのうち少なくとも１つのブラケットに取り外し可能に結合されているクロスバーと、クロスバーに結合された第１部分と、下部シェルのベースに結合された第２部分とを有する伸縮シャフトとを備えている。
【０００５】
本明細書の開示は、拡張可能な荷物組立体を含み、拡張可能な荷物組立体は、上部シェルと、上部シェルに取り外し可能に結合されている中間シェルと、中間シェルに取り外し可能に結合されている下部シェルと、下部シェルのベースに結合されている複数のホイールと、２つのハンドルとを含んでよい。２つのハンドルの各ハンドルは、下部シェルの内面に結合され、上部シェルを貫通して伸びる部分を有する伸縮シャフトと、伸縮シャフトに結合されているクロスバーであり、上部シェルの上部がクロスバーに結合されうるクロスバーとを備えている。
【０００６】
本明細書の開示は、拡張可能な荷物組立体を含み、拡張可能な荷物組立体は、複数の側壁を有する上部シェルと、ベースを有し、またベースから伸び、上部シェルの複数の側壁に取り外し可能に結合されている複数の側壁を有する下部シェルと、上部シェルに結合されている棚と、下部シェルに結合されている複数のホイールと、２つのハンドルとを含んでよい。２つのハンドルの各ハンドルは、上部シェルを支持しうる一部を有する伸縮シャフトと、伸縮シャフトに結合されているクロスバーであり、上部シェルの一部がクロスバーに結合されうるクロスバーとを備えている。
【図面の簡単な説明】
【０００７】
【図１】各種の荷物組立体、及び荷物組立体の構築及び使用のための構成要素の図を示す。
【図２】各種の荷物組立体、及び荷物組立体の構築及び使用のための構成要素の図を示す。
【図３】各種の荷物組立体、及び荷物組立体の構築及び使用のための構成要素の図を示す。
【図４】各種の荷物組立体、及び荷物組立体の構築及び使用のための構成要素の図を示す。
【図５】各種の荷物組立体、及び荷物組立体の構築及び使用のための構成要素の図を示す。
【図６】各種の荷物組立体、及び荷物組立体の構築及び使用のための構成要素の図を示す。
【図７】各種の荷物組立体、及び荷物組立体の構築及び使用のための構成要素の図を示す。
【図８】各種の荷物組立体、及び荷物組立体の構築及び使用のための構成要素の図を示す。
【図９】各種の荷物組立体、及び荷物組立体の構築及び使用のための構成要素の図を示す。
【図１０】各種の荷物組立体、及び荷物組立体の構築及び使用のための構成要素の図を示す。
【図１１】各種の荷物組立体、及び荷物組立体の構築及び使用のための構成要素の図を示す。
【図１２】各種の荷物組立体、及び荷物組立体の構築及び使用のための構成要素の図を示す。
【図１３】各種の荷物組立体、及び荷物組立体の構築及び使用のための構成要素の図を示す。
【図１４】各種の荷物組立体、及び荷物組立体の構築及び使用のための構成要素の図を示す。
【図１５】各種の荷物組立体、及び荷物組立体の構築及び使用のための構成要素の図を示す。
【図１６】各種の荷物組立体、及び荷物組立体の構築及び使用のための構成要素の図を示す。
【図１７】各種の荷物組立体、及び荷物組立体の構築及び使用のための構成要素の図を示す。
【図１８】各種の荷物組立体、及び荷物組立体の構築及び使用のための構成要素の図を示す。
【図１９】各種の荷物組立体、及び荷物組立体の構築及び使用のための構成要素の図を示す。
【図２０】各種の荷物組立体、及び荷物組立体の構築及び使用のための構成要素の図を示す。
【図２１】各種の荷物組立体、及び荷物組立体の構築及び使用のための構成要素の図を示す。
【図２２】各種の荷物組立体、及び荷物組立体の構築及び使用のための構成要素の図を示す。
【図２３】各種の荷物組立体、及び荷物組立体の構築及び使用のための構成要素の図を示す。
【図２４】各種の荷物組立体、及び荷物組立体の構築及び使用のための構成要素の図を示す。
【図２５】各種の荷物組立体、及び荷物組立体の構築及び使用のための構成要素の図を示す。
【図２６】各種の荷物組立体、及び荷物組立体の構築及び使用のための構成要素の図を示す。
【図２７】各種の荷物組立体、及び荷物組立体の構築及び使用のための構成要素の図を示す。
【図２８】各種の荷物組立体、及び荷物組立体の構築及び使用のための構成要素の図を示す。
【図２９】各種の荷物組立体、及び荷物組立体の構築及び使用のための構成要素の図を示す。
【図３０】各種の荷物組立体、及び荷物組立体の構築及び使用のための構成要素の図を示す。
【図３１】各種の荷物組立体、及び荷物組立体の構築及び使用のための構成要素の図を示す。
【図３２】各種の荷物組立体、及び荷物組立体の構築及び使用のための構成要素の図を示す。
【図３３Ａ】各種の荷物組立体、及び荷物組立体の構築及び使用のための構成要素の図を示す。
【図３３Ｂ】各種の荷物組立体、及び荷物組立体の構築及び使用のための構成要素の図を示す。
【図３４】各種の荷物組立体、及び荷物組立体の構築及び使用のための構成要素の図を示す。
【図３５】各種の荷物組立体、及び荷物組立体の構築及び使用のための構成要素の図を示す。
【図３６】各種の荷物組立体、及び荷物組立体の構築及び使用のための構成要素の図を示す。
【図３７】各種の荷物組立体、及び荷物組立体の構築及び使用のための構成要素の図を示す。
【図３８】各種の荷物組立体、及び荷物組立体の構築及び使用のための構成要素の図を示す。
【図３９】各種の荷物組立体、及び荷物組立体の構築及び使用のための構成要素の図を示す。
【図４０】各種の荷物組立体、及び荷物組立体の構築及び使用のための構成要素の図を示す。
【図４１】各種の荷物組立体、及び荷物組立体の構築及び使用のための構成要素の図を示す。
【図４２】各種の荷物組立体、及び荷物組立体の構築及び使用のための構成要素の図を示す。
【図４３】各種の荷物組立体、及び荷物組立体の構築及び使用のための構成要素の図を示す。
【図４４】各種の荷物組立体、及び荷物組立体の構築及び使用のための構成要素の図を示す。
【図４５】各種の荷物組立体、及び荷物組立体の構築及び使用のための構成要素の図を示す。
【図４６】各種の荷物組立体、及び荷物組立体の構築及び使用のための構成要素の図を示す。
【図４７】各種の荷物組立体、及び荷物組立体の構築及び使用のための構成要素の図を示す。
【図４８】各種の荷物組立体、及び荷物組立体の構築及び使用のための構成要素の図を示す。
【図４９】各種の荷物組立体、及び荷物組立体の構築及び使用のための構成要素の図を示す。
【図５０】各種の荷物組立体、及び荷物組立体の構築及び使用のための構成要素の図を示す。
【図５１】各種の荷物組立体、及び荷物組立体の構築及び使用のための構成要素の図を示す。
【図５２】各種の荷物組立体、及び荷物組立体の構築及び使用のための構成要素の図を示す。
【図５３Ａ】旅行での構成における荷物組立体の斜視図を示す。
【図５３Ｂ】旅行での構成における、フラップを有する荷物組立体の斜視図を示す。
【図５４】拡張位置にハンドルを有する荷物組立体の斜視図を示す。
【図５５】拡張位置にある２つの荷物ハンドルの斜視図を示す。
【図５６】拡張した構成の上部シェルを有する荷物組立体の斜視図を示す。
【図５７】第１レベルの棚構成における荷物組立体の斜視図を示す。
【図５８】棚の斜視図を示す。
【図５９】下部シェルから切り離された上部シェルを有する荷物組立体の斜視図を示す。
【図６０】第２レベルの棚構成における荷物組立体の斜視図を示す。
【図６１】第１レベルの棚構成及び第２レベルの棚構成における荷物組立体の斜視図を示す。
【図６２Ａ】拡張した構成のテーブルトップを含む荷物組立体の斜視図を示す。
【図６２Ｂ】折り畳まれた構成のテーブルトップを含む荷物組立体の斜視図を示す。
【図６３Ａ】中間シェルを有する折り畳まれた構成の荷物組立体の斜視図を示す。
【図６３Ｂ】外面が見えるように平らに置かれた中央シェルの斜視図を示す。
【図６３Ｃ】内面が見えるように平らに置かれた中間シェルの斜視図を示す。
【図６３Ｄ】ジッパーテープ組立体のプロファイルの図を示す。
【図６３Ｅ】ジッパーテープ組立体のプロファイルの図を示す。
【図６３Ｆ】ジッパーテープ組立体のプロファイルの図を示す。
【図６４】伸縮式支持管組立体を有する荷物組立体の斜視図を示す。
【図６５】ストラップを介して取り外し可能に結合された２つの荷物組立体の斜視図を示す。
【発明を実施するための形態】
【０００８】
１．序論
以下に詳細な説明を提供する。図面を含むこの詳細な説明の目的は、米国特許法（３５ＵＳＣ）第１１２条の法定要件を満たすことである。例えば、詳細な説明は、請求項によって定義される発明の説明、及び当業者が発明を作成及び使用することを可能にする十分な情報を含む。図において、同じ要素は、一般に、要素が現れる形状又は図に関係なく、同じ参照番号によって示される。これらの図は、説明の助けとなり、本明細書に記載されている主題のある側面の視覚的表現を提供することを目的とする。これらの図は、必ずしも全てが比例的な縮尺で描かれているわけではなく、全ての構造の詳細を示しても、請求項の範囲を制限してもいない。
【０００９】
添付の請求項のそれぞれは、侵害の目的で、請求項に指定された様々な要素又は制限の同等物を含むものとして認識される別個の発明を定義している。文脈に応じて、以下の「発明」への全ての言及は、場合によっては、特定の実施形態のみを指すことがある。他の場合において、「発明」への言及は、必ずしも全てではないが、請求項の１つ又は複数に記載された主題を指すことが認識されるであろう。次に、特定の実施形態、種類、及び例を含めて、本発明のそれぞれを以下でより詳細に説明するが、本発明は、これらの特定の実施形態、種類、又は例に限定されず、これらは、この特許の情報が利用可能な情報及び技術と組み合わされたときに、発明を作成及び使用することを当業者に可能にするために含まれる。本明細書で使用される様々な用語を以下に定義し、それらの用語を含む請求項を解釈するとき、明細書中、又は明示的な表現で異なる意味が特許商標庁（ＰＴＯ）に与えられる場合を除いて、定義を採用するものとする。請求項で使用される用語が以下又はＰＴＯの表現で定義されていない限り、少なくとも１つの印刷された出版物、辞書、又は発行された特許に反映されているように、当業者がその用語を与えた最も広い定義を与える必要がある。
【００１０】
２．定義集
特定の請求項には、本明細書で使用される場合、以下に明示的に定義される以下の１つ又は複数の用語が含まれる。
【００１１】
本明細書で動詞として使用される「に対して隣接する」という用語は、直接又は間接的に、隣接し、物理的に接触又は圧迫する位置として定義される。別の物体に対してある物体との隣接が発生した後、物体は完全に又は部分的に「隣接」することがある。第１物体は、第２物体が第１物体の方向に移動することを制限されるように、第２物体に隣接することがある。例えば、伸縮シャフトの管は、上部シェルに隣接するラジアル面を持っていることがある。また、ハンドルのクロスバーは、上部シェルから伸びるブラケットに隣接することがある。
【００１２】
本明細書で使用される「整列する」という用語は、１つ又は複数の物理的物体を特定の位置に製造、形成、調整、又は配置することを意味する動詞である。整列が行われた後、物体は完全に又は部分的に「整列」される。整列は、好ましくは、構造又は構造の表面を、別の構造又は表面に対して線形関係で配置することを含む。例えば、それらの境界又は周囲が平行な接線のセットを共有することがある。場合によっては、位置合わせされた境界線又は周囲が同様のプロファイルを共有することがある。さらに、構造又は構造の一部が通孔内及び／又は通孔を通って伸びることができるように、通孔を整列させることがある。
【００１３】
本明細書で使用される「通孔（ａｐｅｒｔｕｒｅ）」という用語は、中実の物体又は構造、例えば、上部シェル組立体又は管の任意の開口として定義される。例えば、開口は、中実の物体、例えば、上部シェル組立体又は管の一方の側で始まり、物体の反対側で終わる開口であってよい。これに代えて、開口は、物体を完全には通過しないが、例えば溝として部分的にのみ通過する開口であってよい。通孔は、物体自体によって完全に囲まれ、定義され、又は区切られる、物体、例えば、上部シェル組立体又は管の開口であってよい。これに代えて、通孔は、物体が１つ又は複数の他の物体又は構造と組み合わされたとき、物体の開口であってよい。例えば、シェルは、開口を形成するために結合された４つの側壁を有してよい。通孔は、別の物体、例えば、上部シェル組立体又は管を受け入れ、通孔を通って物体の出入りを可能にしてよい。従って、管は、別の管の通孔に受け入れられてよい。通孔は、通孔の表面から伸びるショルダーを有してよい。
【００１４】
本明細書で使用される「組立体」という用語は、完全に又は部分的に一緒に組み立てられた構成要素の任意のセットとして定義される。組立体のグループは、内面及び外面を有する組立体又は中実な本体を形成するように、結合されてよい。
【００１５】
本明細書で使用される「クリップ」という用語は、別の物体に取り外し可能に結合することができるデバイスとして定義される。クリップは、デルリン（登録商標、ポリオキシメチレン）クリップ又はスナップクリップと呼ばれることがある。クリップをストラップに結合することができる。
【００１６】
本明細書で使用される「ブラケット」という用語は、ハンドルのクロスバーに結合するように構成されたシェルの一部から伸びる構造として定義される。ブラケットは湾曲していることがある。ブラケットにはアーチがあってよい。好ましくは、ブラケットは、上部シェルの上部、例えば、テーブルトップから伸びることができる。ブラケットと上部シェルの上部は、一体であってよい。ブラケットは、プラスチック、炭素繊維、金属、セラミック、又は木材を含むさまざまな材料で形成されてよい。
【００１７】
本明細書で使用される「結合される」という用語は、直接的又は間接的に接続されているか、取り付けられているか、又は一体になっている、例えば、その一部であることとして定義される。第１物体は、第１物体が第２物体に対して特定の位置及び向きに配置されるように、第２物体に結合されてよい。例えば、２つのより短いシャフト組立体を結合して、より長いシャフト組立体を形成することができる。第１物体は、永久的に、取り外し可能に、スライド可能に、又は螺合により第２物体に結合されてよい。２つの物体は、縫合糸、接着剤、及び／又は圧入を介して互いに永久的に結合されてよい。例えば、ジッパーテープは、場合によっては、ジッパーテープがシェルから切り離されないように、縫合糸でシェルに縫い付けられてよい。２つの物体は、ジッパーテープ、ラッチ、フック、ファスナー、ロック、雌雄のコネクタ、クリップ、及び／又はクランプを介して互いに取り外し可能に結合できる。例えば、上部シェルと下部シェルは、互いに取り外し可能に結合されてよく、その結果、上部シェルは、次に、結合解除され、下部シェルから除去されてよい。また、２つの物体は、例えば、１つの物体の内径が別の物体を受け入れることができる場合、一緒にスライド可能に結合することができることがある。従って、内径を有する第１管は、より小さな外径を有する第２管にスライド可能に結合されることがある。さらに、第１同心支持管は、第２同心支持管にスライド可能に結合されてよい。さらに、２つの物体は、例えば、１つの物体のネジ付き外面が別の物体のネジ付き内面と係合する、又はこれに対して係合することができる場合、螺合して結合することができることがある。例えば、ネジ付き組立体のネジ付き内面が支持管のネジ付き外面と係合する、又はこれに対して係合する支持管のネジ付き部分に、ネジ付き組立体は螺合して結合することができる。また、第１同心支持管及び第２同心支持管は、螺合して結合することができ、第１同心支持管は、第２同心支持管のネジ付き外面と係合する、又はこれに対して係合するネジ付き内面を有する。
【００１８】
本明細書で形容詞として使用される「皺付きの」という用語は、折り畳まれ、折り込まれ、折り目が付けられ、押しつぶされ、皺が生じ、及び／又は皺が寄ったものとして定義される。
【００１９】
本明細書で使用される「円筒形」という用語は、例えば、真っ直ぐな平行な側面及び円形又は楕円形又は楕円形の断面を有する、円柱のような形状として定義される。円筒形の本体又は構造、例えば、シャフト、管、又は支持管は、完全に又は部分的に円筒のような形状であってよい。外径が急激に変化する円筒形の本体、例えばシャフト組立体は、円筒形の中心軸に向かって伸びるラジアル面、例えば、リップ、リム、又はフランジ（例えば、５５１６、図５５を参照）を有してよい。円筒形の本体は、本体の全長にわたって伸びる開口を有して、別の本体、例えば、同心円状の管又はピンが通過することを可能にすることができる中空の円筒を形成してよい。
【００２０】
本明細書で使用される「エッジ」という用語は、任意の表面が終了する任意の線又は境界、又は中実な物体の２つの表面が交わる任意の線として定義される。例えば、シェルはそれぞれ、内面と外面が出会うエッジを形成する内面と外面を有することができる。
【００２１】
本明細書で使用される「第１」及び「第２」という用語は、単に２つ以上のもの又は動作を区別するものであり、重要性の順序、順序などを含む他のものを意味するのではない。
【００２２】
本明細書で名詞として使用される「フラップ」という用語は、そこから伸びる構造の可撓的な部分と定義される。フラップは、オーバーハング、ラペット、又はタブと呼ばれることがある。フラップは、荷物組立体のシェルの開口部を部分的又は完全に覆うように構成することができる。フラップは、フラップの１つ又は複数のエッジに結合されたジッパーテープを有してよい。フラップは、下部シェルに取り外し可能に結合することができる。フラップは、フラップの１つ又は複数のエッジに結合され、下部シェルのエッジに結合された第２ジッパーテープに取り外し可能に結合された第１ジッパーテープを有してよい。フラップは、中間シェルに取り外し可能に結合することができる。フラップは、フラップのエッジに結合され、中間シェルのエッジに結合された第２ジッパーテープに取り外し可能に結合された第１ジッパーテープを有してよい。フラップには、長方形、正方形、半円、台形など、さまざまな規則的な形状がある。フラップの形状は不規則であってよい。
【００２３】
本明細書で使用される「溝」という用語は、表面のくぼみを定義する。溝は、一端から他端まで直線的に伸びることができる。溝は、端から端まで曲がりくねった経路で伸びることがある。溝は、ブロック文字の大文字Ｖの形状を形成する表面を有することができる。溝は、長方形の形状を形成する表面を有することができる。溝の表面は弧状であってよい。
【００２４】
本明細書で名詞として使用される「ハンドル」という用語は、人間の手によって握られるように構成された構造として定義される。ハンドルは、伸縮シャフトに結合されたクロスバーを有してよい。ハンドルは、ブロック体の文字「Ｔ」の形状を形成するようにクロスバーに結合された伸縮シャフトを有することがある。ハンドルは、２つの伸縮シャフトに結合されたクロスバーを有してよい。ハンドルは、ブロック体の文字「Ｕ」の形状を形成するように、２つの伸縮シャフトに結合されたクロスバーを有してよい。ハンドルは、下部シェルに結合された伸縮シャフトを有してよい。ハンドルは、下部シェルから離れて伸びる、及び／又は下部シェルに向かって折り畳むことができる伸縮シャフトを有することができる。ハンドルは、上部シェルを通って伸びる伸縮シャフトを有してよい。ハンドルは、上部シェルと下部シェルの間に配置された２つの管を有してよい。ハンドルは、上部シェルと下部シェルの側壁の間に配置された２つの管を有してよい。
【００２５】
「彼」、「彼女」、「彼ら」という用語、及び本明細書で使用される他の人称代名詞は、任意の性別を交換可能に指す。例えば、「彼」の全ての使用には「彼女」も含まれる。
【００２６】
本明細書で使用される「ロック」という用語は、物体の動きを阻止するための構造として定義される。ロックは、ボール、ピン、ボルト、バー、円筒、ロッド、又は任意の細長い構造物であってよい。ロックは、それぞれ２つの同心円状の管に配置された２つの整列した通孔を通って伸びることができる。
【００２７】
本明細書で使用される「ロック位置」という用語は、例えば、物体の動きを阻止する、又は阻止することとして定義される。例えば、ピンが２つ以上の同心円状の管の相互の動きを妨げる場合、ピンはロック位置になる。さらに、ピンが２つの管を通って伸びている場合、ピンはロック位置になる。従って、ピンは、管の互いに対する動きを阻止することがある。逆に、本明細書で使用される「ロック解除位置」という用語は、物体が、場合によっては、別の物体に対するある物体の移動を妨げない物体の位置として定義される。例えば、ピンが２つ以上の同心円状の管の相互の動きを妨げない場合、ピンはロック解除位置になる。
【００２８】
本明細書で使用される「可撓的な（ｐｌｉａｂｌｅ、しなることができる）」という用語は、曲げることができる、折り畳むことができる、及び／又は柔軟であることと定義される。
【００２９】
本明細書で使用される「提供する」という用語は、利用可能にする、与える、供給する、装備する、又は所定の位置に配置させることとして定義される。
【００３０】
本明細書で使用される「垂直」という用語は、８５度又は８８度から９２度又は９５度までの範囲の角度で定義される。互いに垂直である２つの構造は、互いに直交するか、又は互いに接線になっている。
【００３１】
本明細書で使用される「解除組立体」という用語は、例えば、ロック位置又はロック解除位置にロックを作動させることができる構造として定義される。解除組立体は、ボタン、１つ又は複数のバネ、及びボタンに結合された部分と１つ又は複数のバネに結合された１つ又は複数の部分を有する接続部を含んでよい。ボタンは、ハンドル組立体のハンドルに配置することができる。バネは、バイアス部材と呼ばれることがある。バネは、１つ又は複数のロックに隣接するようにバイアス位置に作動させることができる。また、バネは、１つ又は複数のロックに隣接しないように非バイアス位置に作動させることができる。ボタンを弾力的に押し下げて、接続部を動かして１つ又は複数のバネを作動させることができる。ボタンを押すと、１つ又は複数のバネがバイアス位置に作動することがある。押されていない、例えば解除されたボタンは、１つ又は複数のバネをバイアス位置に作動させることがある。
【００３２】
本明細書で使用される「シェル」という用語は、例えば、物体の保護又は隠蔽のために構成された外側カバーを意味する。シェルは、ベースと、ベースから伸びる４つの側壁とを有してよい。ベースと４つの側壁は、一体であってよい。さらに、ベース及び４つの側壁は、例えば、プラスチック、炭素繊維、ケブラー（登録商標、ポリパラフェニレンテレフタラミド）、金属、又は木材の単一の部品から、例えば、成形され、織られ、又は刻み出されて形成されてよい。シェルは、ラッチ、バックル、クランプ、フック、ストラップ、コード、ロープ、ストリング、及び／又はヒンジを介して別のシェルに取り外し可能に結合することができる。シェルは、上部と、上部に取り外し可能に結合された下部とを有してよい。シェルは剛性が高いことがある。シェルは、第１剛性部分及び可撓的な第２部分、例えば、フラップ又は側壁を有してよい。
【００３３】
本明細書で使用される「側壁」という用語は、平面を有する任意の構造として定義される。側壁は、互いに平行である場合もあれば、平行でない場合もある平坦な平面の側面を有してよい。例えば、平面側壁は、本明細書に開示されるいくつかのシェル及び棚によって例示されるように、平坦な側壁であってよい。側壁は、互いに平行である場合もあれば、場合によっては平行でない場合もある湾曲した平面の側面を有してよい。例えば、円筒形の側壁は、本明細書に開示されるいくつかのシェル及び棚によって例示されるように、その断面が文字「Ｏ」に類似する湾曲した側壁であってよい。側壁は剛性が高いことがある。側壁は可撓的であってよい。
【００３４】
本明細書で使用される「ストラップ」という用語は、長辺及び少なくとも１つの短辺を有し、上又は下から見たときに全体の形状が長方形であってよい可撓性構造として定義される。ストラップは断面が長方形のことがある。ストラップは連続していることがある。ストラップは、革、ケブラー、綿、及び／又は麻などのさまざまな材料のいずれか１つで構成することができる。ストラップは、２つ以上の隣接する部分又はセグメントに折り畳むことができる。本明細書に開示されたあるストラップは、一緒に縫合される層に折り畳まれたセグメントを有する。ストラップは、シェル、テーブルトップ、棚、及び／又はクリップの一部に結合された部分を有してよい。
【００３５】
本明細書で使用される「表面」という用語は、構造の任意の面を意味する。表面はまた、例えば、シェル、フラップ、拡張カーテン、テーブルトップ、又は棚などの構造のその平坦な又は実質的に平坦な領域を指すこともある。表面はまた、例えば、伸縮シャフト、管、シャフト、クロスバー、ブラケット、又はスリーブの一部であることがある円筒の周りに放射状に伸びるその平坦又は実質的に平坦な領域を指してよい。表面の輪郭が不規則なことがある。表面は、例えばシェル、フラップ、拡張部分、テーブルトップ、ブラケット、及び／又は棚などの、互いに結合された構成要素から形成することができる。結合された構成要素は、不規則な表面を形成することがある。
【００３６】
本明細書で使用される「テーブルトップ」という用語は、物体を配置することができる平面を有する構造として定義される。これらの物体には、ラップトップ、タブレット、モニター、ボードゲーム、又は電子機器が含まれることがある。テーブルトップには、１つ又は複数のテーブルリーフが含まれることがある。テーブルトップは２つのテーブルリーフを有してよい。テーブルトップは、例えばヒンジを介してベースに結合されたリーフを有してよい。テーブルトップには、互いに向かって折り畳むことができるリーフがあってよい。テーブルトップには、互いに遠ざかるように折り畳むことができるリーフがあってよい。テーブルトップは、底面がベースの上面と同一平面上にあるリーフを有することがある。テーブルトップの各テーブルリーフの幅は、ベースの幅の約半分にすることができる。従って、テーブルトップの各リーフは、テーブルトップのベースに向かって折り畳むことができる。従って、リーフの上面及びテーブルトップのベースの底面は、互いに隣接し、平行に、及び／又は隣接していてよい。テーブルトップリーフの上面と下面は先細になっていることがある。
【００３７】
本明細書で使用される「先細り」という用語は、第１点から第２点まで伸びる一方で、例えば半径が次第に小さくなり、及び／又は第１点から第２点まで薄くなることとして定義される。先細りの構造は、斜めに面取りされた、円錐台状、及び／又は円錐状のプロファイルを有することがある。先細りの構造は円筒形であってよい。
【００３８】
本明細書で使用される「伸縮式」という用語は、例えば、線又は中心軸上で伸長可能なこととして定義される形容詞である。伸縮式の物体又は構造物は、格納式又は伸長可能であってよい。伸縮管は、互いに相対的にスライドさせることができる。伸縮管は相互の中へスライドさせることができる。伸縮管は互いにスライドさせて離すことができる。スライド可能に結合された同心円状の管は、伸縮シャフトを形成することがある。
【００３９】
本明細書で使用される「伸縮シャフト」という用語は、延長又は短縮することができる円筒形構造を指す。伸縮シャフトは、２つ以上の管であってよい。伸縮シャフトは、２つ以上の同心円状の管であってよい。伸縮シャフトはクロスバーに結合することができる。伸縮シャフトは、上部シェル及び下部シェルに結合することができる。伸縮シャフトは、上部シェルを通って伸びる部分を有してよい。
【００４０】
本明細書で使用される「ネジ付き」という用語は、ネジ山を有するものとして定義される。ネジ山は、円筒形の物体の表面上に１つ又は複数のらせん状の突起又は溝を含んでよい。物体のネジ面の周りの突起又は溝が各１回の完全な回転をすることは、本明細書では単一の「ネジ」と呼ばれる。ネジ付き組立体は、ネジ付き組立体の断面部がネジを含む「ネジ付き部分」を含んでよい。ネジ付き部分は、モジュールカプラー本体の開口を通って伸びるようなサイズの直径を有してよい。場合によっては、１つの構造のネジ付き部分は、ネジ付き組立体に取り外し可能に結合されてよい。
【００４１】
本明細書で使用される「管」という用語は、内面及び外面を有する任意の構造を定義する。管は、それを通して配置された通孔を有することができる。好ましくは、管は円筒形である。しかしながら、組立体のいずれか又は全ての管、例えば、シャフト、伸縮シャフト、クロスバー、又はスリーブは、多角形の断面、例えば、三角形、長方形、五角形、六角形、又は八角形の断面を有してよい。
【００４２】
本明細書で使用される「一体である」という用語は、単一のユニットの性質、特性、又は特性を有するものとして定義される。例えば、シェルの個々の部分であるベース及び側壁は、それらが分離せず、むしろ、例えば、単一の材料片、例えば布、プラスチック、炭素繊維、金属、又は木材の材料片から形成されている（例えば、成形され、又は刻み出されている）という意味で一体である。
【００４３】
本明細書で使用される「上」、「下」、「上部」、「下部」という用語は、物体、物、又は地点を地球の中心からの距離と比較したときに、意図された有用な位置に配置されている別の物体、物、又は地点に対する、意図された有用な位置に配置されている物体、物、又は地点の位置を述べる相対的な用語である。「上」及び「上部」という用語は、物体が意図された有用な位置に配置されている場合に、他の物体又はその特定の物体の一部よりも地球の中心から遠く離れている特定の物体又は特定の物体の一部を識別する。「下」及び「下部」という用語は、物体が意図された有用な位置に配置されている場合に、他の物体又はその特定の物体の一部よりも地球の中心に近い物体又は特定の物体の一部を識別する。例えば、荷物組立体には上端と下端があってよい。さらに、荷物組立体は、上部シェル組立体及び下部シェル組立体を有してよい。上部シェルは、上部及び下部を有してよい。さらに、伸縮シャフトは、上管及び下管を有する上部及び下部を有してよい。
【００４４】
本明細書で使用される「ジッパーテープ」という用語は、別のジッパーテープの歯と噛み合うことができる歯を有する構造として定義される。ジッパーテープは、上部シェルの１つ又は複数のエッジに結合することができる。ジッパーテープは、中間シェルの１つ又は複数のエッジに結合することができる。第１ジッパーテープには、歯、スライダー、及びボックスが含まれてよい。第２ジッパーテープには、歯とピンが含まれてよい。取り外し可能に結合するように構成された第１ジッパーテープ及び第２ジッパーテープは、ジッパー組立体の一部であってよい。
【００４５】
３．ある特定の実施形態
本明細書の開示は、拡張可能な荷物組立体を含み、拡張可能な荷物組立体は、複数の側壁を有する上部シェルと、上部シェルの複数の側壁のうちの１つ以上に取り外し可能に結合されている複数の側壁を有する下部シェルと、上部シェルに結合されている棚と、下部シェルに結合されている複数のホイールと、２つのハンドルとを含んでよい。２つのハンドルの各ハンドルは、上部シェルの上に配置されたクロスバーと、クロスバーに結合され、上部シェルにスライド可能に結合されている第１管と、第１管にスライド可能に結合され、上部シェルに隣接しうる第２管と、第２管にスライド可能に結合され、下部シェルに結合されている第３管とを備えている。
【００４６】
本明細書の開示は、拡張可能な荷物組立体を含み、拡張可能な荷物組立体は、１つ以上のブラケットを有する上部と、下部と、上部に結合されている棚と、下部シェルと、下部シェルのベースに結合されている複数のホイールと、２つのハンドルとを含んでよい。２つのハンドルの各ハンドルは、１つ以上のブラケットのうち少なくとも１つのブラケットに取り外し可能に結合されているクロスバーと、クロスバーに結合された第１部分と、下部シェルのベースに結合された第２部分とを有する伸縮シャフトとを備えている。
【００４７】
本明細書の開示は、拡張可能な荷物組立体を含み、拡張可能な荷物組立体は、上部シェルと、上部シェルに取り外し可能に結合されている中間シェルと、中間シェルに取り外し可能に結合されている下部シェルと、下部シェルのベースに結合されている複数のホイールと、２つのハンドルとを含んでよい。２つのハンドルの各ハンドルは、下部シェルの内面に結合され、上部シェルを貫通して伸びる部分を有する伸縮シャフトと、伸縮シャフトに結合されているクロスバーであり、上部シェルの上部がクロスバーに結合されうるクロスバーとを備えている。
【００４８】
本明細書の開示は、拡張可能な荷物組立体を含み、拡張可能な荷物組立体は、複数の側壁を有する上部シェルと、ベースを有し、またベースから伸び、上部シェルの複数の側壁に取り外し可能に結合されている複数の側壁を有する下部シェルと、上部シェルに結合されている棚と、下部シェルに結合されている複数のホイールと、２つのハンドルとを含んでよい。２つのハンドルの各ハンドルは、上部シェルを支持しうる一部を有する伸縮シャフトと、伸縮シャフトに結合されているクロスバーであり、上部シェルの一部がクロスバーに結合されうるクロスバーとを備えている。
【００４９】
本明細書に開示される構造及び方法の任意の１つにおいて、第１管は、上部シェルを貫通して伸びてよい。
【００５０】
本明細書に開示される構造及び方法の任意の１つにおいて、第２管は、上部シェルの内面に隣接する部分を有してよい。
【００５１】
本明細書に開示される構造及び方法の任意の１つにおいて、第２管及び第３管は、上部シェルと下部シェルとの間に配置されてよい。
【００５２】
本明細書に開示される構造及び方法の任意の１つにおいて、上部シェルは、上部と、取り外し可能に上部に結合されている下部と、下部に結合され、皺付きであってよい拡張カーテンとを備えていてよい。
【００５３】
本明細書に開示される構造及び方法の任意の１つにおいて、上部シェルは、可撓的なフラップを有してよい。
【００５４】
本明細書に開示される構造及び方法の任意の１つにおいて、棚は、上部シェルの上部の内面に結合されてよい。
【００５５】
本明細書に開示される構造及び方法の任意の１つは、上部シェルの下部の内面に結合された棚をさらに含んでよい。
【００５６】
本明細書に開示される構造及び方法の任意の１つは、棚と、複数のストラップとをさらに備え、複数のストラップの各ストラップは、上部シェルの上部に結合されている第１部分と、棚に結合されている第２部分と、第１部分及び第２部分に結合されているクリップバックルとをさらに備えていてよい。
【００５７】
本明細書に開示される構造及び方法の任意の１つにおいて、ストラップの第１部分及び第２部分の長さは調整されてよい。
【００５８】
本明細書に開示される構造及び方法の任意の１つは、第１部分及び第２部分に結合されたスライダーをさらに含んでよい。
【００５９】
本明細書に開示される構造及び方法の任意の１つは、上部シェルの下部に結合された第１棚と、第１棚に取り外し可能に結合された第２棚とをさらに備えていてよい。
【００６０】
本明細書に開示される構造及び方法の任意の１つにおいて、各ハンドルの伸縮シャフトは、上部シェルを通って伸びる部分を有してよい。
【００６１】
本明細書に開示される構造及び方法の任意の１つは、２つのハンドルの各ハンドルの各伸縮シャフトの一部の周りに配置されたスリーブをさらに含んでよい。
【００６２】
本明細書に開示される構造及び方法の任意の１つにおいて、上部シェルは、リフトハンドルをさらに含んでよい。
【００６３】
本明細書に開示される構造及び方法の任意の１つは、上部シェルに結合されている第１ジッパーテープと、中間シェルの上エッジに結合され、第１ジッパーテープに取り外し可能に結合されている第２ジッパーテープと、中間シェルの下エッジに結合されている第３ジッパーテープと、下部シェルに結合され、第３ジッパーテープに取り外し可能に結合されている第４ジッパーテープとをさらに備えていてよい。
【００６４】
本明細書に開示される構造及び方法の任意の１つにおいて、テーブルトップは、ベース及び延長部に結合されたヒンジをさらに含んでよい。
【００６５】
本明細書に開示される構造及び方法の任意の１つにおいて、ベースの表面及び延長部の表面は同一平面上にあってよい。
【００６６】
本明細書に開示される構造及び方法の任意の１つは、テーブルトップの内面に結合された棚をさらに含んでよい。
【００６７】
本明細書に開示される構造及び方法の任意の１つにおいて、中間シェルは、２つの端部と、１つの端部に設けられたグリップと、他の端部に設けられた通孔と、上部シェルに結合されている第１ジッパーテープと、中間シェルの上エッジに結合され、第１ジッパーテープに取り外し可能に結合されている第２ジッパーテープと、中間シェルの下エッジに結合されている第３ジッパーテープと、下部シェルに結合され、第３ジッパーテープに取り外し可能に結合されている第４ジッパーテープとをさらに備え、中間シェルの２つの端部は、互いに重なり、グリップは通孔を貫通して伸びていてよい。
【００６８】
本明細書に開示される構造及び方法の任意の１つにおいて、上部シェルはフラップを有してよい。
【００６９】
本明細書に開示される構造及び方法の任意の１つにおいて、上部シェルは、下部シェルに結合された第２ジッパーテープに結合された第１ジッパーテープを有する、フラップを備えていてよい。
【００７０】
本明細書に開示される構造及び方法の任意の１つにおいて、上部シェルは、拡張カーテンを有してよい。
【００７１】
本明細書に開示される構造及び方法の任意の１つにおいて、上部シェルは、可撓的な拡張カーテンを有してよい。
【００７２】
本明細書に開示される構造及び方法の任意の１つにおいて、拡張カーテンはフラップを有してよい。
【００７３】
本明細書に開示される構造及び方法の任意の１つにおいて、上部シェルはブラケットを有してよい。
【００７４】
本明細書に開示される構造及び方法の任意の１つにおいて、上部シェルは、Ｃ字形を有するブラケットを有してよい。
【００７５】
本明細書に開示される構造及び方法の任意の１つにおいて、上部シェルは、２つのハンドルの１つのハンドルのクロスバーに隣接するブラケットを有してよい。
【００７６】
本明細書に開示される構造及び方法の任意の１つにおいて、上部シェルは、２つのハンドルの第１ハンドルの第１クロスバーに隣接する第１ブラケットと、２つのハンドルの第２ハンドルの第２クロスバーに隣接する第２ブラケットとを含んでよい。
【００７７】
本明細書に開示される構造及び方法の任意の１つにおいて、上部シェルは、第１部分と、第１部分に取り外し可能に結合されている第２部分とを含んでよい。
【００７８】
本明細書に開示される構造及び方法の任意の１つにおいて、上部シェルは、２つのハンドルに結合することができる第１部分と、第１部分に取り外し可能に結合されている第２部分とを含んでよい。
【００７９】
本明細書に開示される構造及び方法の任意の１つにおいて、上部シェルは、第１ジッパーテープと第２ジッパーテープとを有する第１部分と、第３ジッパーテープを有する第２部分とを有し、第３ジッパーテープは、第１ジッパーテープ又は第２ジッパーテープ又はその両方に、取り外し可能に結合されることができてよい。
【００８０】
本明細書に開示される構造及び方法の任意の１つにおいて、上部シェルは、リフトハンドルをさらに含んでよい。
【００８１】
本明細書に開示される構造及び方法の任意の１つは、下部シェルのベースに結合された４つのホイールをさらに含んでよい。
【００８２】
本明細書に開示される構造及び方法の任意の１つは、下部シェルのベースに結合された４つのホイールをさらに含んでよい。
【００８３】
本明細書に開示される構造及び方法の任意の１つにおいて、上部シェルは、それに結合されたホイールを有していなくてよい。
【００８４】
本明細書に開示される構造及び方法の任意の１つは、上部シェルに結合された棚をさらに含んでよい。
【００８５】
本明細書に開示される構造及び方法の任意の１つは、上部シェルと下部シェルとの間に配置された棚をさらに含んでよい。
【００８６】
本明細書に開示される構造及び方法の任意の１つにおいて、各ハンドルの伸縮シャフトは、上部シェルを通って伸びる部分を有してよい。
【００８７】
本明細書に開示される構造及び方法の任意の１つは、２つのハンドルのそれぞれの各伸縮シャフトの一部の周りに配置されたスリーブをさらに含んでよい。
【００８８】
本明細書に開示される構造及び方法の任意の１つは、上部シェルと下部シェルとの間であって、及び２つのハンドルのそれぞれの各伸縮シャフトの一部の周りに配置されたスリーブをさらに含んでよい。
【００８９】
本明細書に開示される構造及び方法の任意の１つは、棚と、複数のストラップとをさらに含み、各ストラップは、棚及び上部シェルの上部の内面に結合されていてよい。
【００９０】
本明細書に開示される構造及び方法の任意の１つは、棚と、複数のストラップとをさらに含み、各ストラップは、上部シェルの上部の内面に結合された第１部分と、棚に結合された第２部分と、第１部分及び第２部分に結合された解除バックルとをさらに含んでよい。
【００９１】
本明細書に開示される構造及び方法の任意の１つは、上部シェルの上部に結合された第１棚と、第１棚に取り外し可能に結合された第２棚とをさらに含んでよい。
【００９２】
本明細書に開示される構造及び方法の任意の１つは、上部シェルの下部に結合された第１棚と、第１棚に取り外し可能に結合された第２棚とをさらに含んでよい。
【００９３】
本明細書に開示される構造及び方法の任意の１つにおいて、テーブルトップは、ベース及び延長部に結合されたヒンジをさらに含んでよい。
【００９４】
本明細書に開示される構造及び方法の任意の１つにおいて、ベースの表面及び延長部の表面は同一平面上にあってよい。
【００９５】
本明細書に開示される構造及び方法の任意の１つにおいて、ベースの表面及び延長部の表面は平行であってよい。
【００９６】
本明細書に開示される構造及び方法の任意の１つにおいて、ベースの表面及び延長部の表面は隣接してよい。
【００９７】
本明細書に開示される構造及び方法の任意の１つにおいて、ベースの表面及び延長部の表面は平行であってよい。
【００９８】
本明細書に開示される構造及び方法の任意の１つにおいて、延長部の平面は、ベースの平面に対して隣接してよい。
【００９９】
本明細書に開示される構造及び方法の任意の１つは、テーブルトップの内面に結合された棚をさらに含んでよい。
【０１００】
本明細書に開示される構造及び方法の任意の１つにおいて、下部シェルは、第３管の端部に結合されたベースをさらに含んでよい。
【０１０１】
本明細書に開示される構造及び方法の任意の１つにおいて、中間シェルは、第１側面と、通孔を有する第２側面と、第１側面に結合され、一部が通孔を通って伸びるグリップとを含んでよい。
【０１０２】
４．図面における特定の実施形態
本明細書に提示された図面は、例示のみを目的とするのであり、請求項を限定するものではない。むしろ、図面は、当業者が請求項に記載された発明を作成及び使用することを可能にするのを助けることを意図している。
【０１０３】
この項では、図面に示されている拡張可能な荷物組立体の特定の種類について説明する。これらは、拡張可能な荷物組立体の一部となる組立体、要素、及び部品、及び旅行用品の収納方法に関連している。この項は、本明細書の図面、及びそれらの図面に見られる特定の実施形態に焦点を合わせているが、この項の一部は、図面に示されていない他の実施形態にも適用可能であってよい。この項で参照されている制限は、より広い適用範囲を持つ請求項自体の範囲を制限するためには使用されないものとする。
【０１０４】
本明細書に記載の方法、構造、要素、及び部品は詳細に説明されているが、後述する請求項によって定義される本発明の精神及び範囲から逸脱することなく、様々な変更、置換、及び変更を行うことができることが理解されるものとする。当業者は、好ましい実施形態を研究し、本明細書に正確に記載されていない本発明を実施するための他の方法を特定することができてよい。発明の変形及び同等物が請求項内にあることは発明者の意図であり、説明、要約及び図面は、発明の範囲を制限するために使用されるものとしない。本発明は、特に、後述する請求項及びそれらの同等物と同じ広さで広いことを意図している。
【０１０５】
図５３Ａは、旅行での構成における荷物組立体５３００の斜視図を示す。荷物組立体５３００は、上部シェル５３０２、下部シェル５３０４、ハンドル５４０４ａ、５４０４ｂ、及び棚（図示せず）を含んでよい。上部シェル５３０２及び下部シェル５３０４は、取り外し可能に結合されてエンクロージャを形成することができる。棚や旅行用品、例えば衣類、化粧品、身の回り品などは、エンクロージャに収納できる。
【０１０６】
上部シェル５３０２は、上部５３０６及び下部５３０８を含んでよい。上部５３０６は、例えば、ジッパー組立体６３０８を介して、下部５３０８に取り外し可能に結合することができる。
【０１０７】
下部５３０８は、４つの側壁５３１６ａ’〜ｄ’を有してよい。４つの側壁５３１６ａ’〜ｄ’は、一体であってよい。好ましくは、各側壁５３１６は、上部５３０６の平面に対して垂直であり、例えば直交するか、又はこれに対して接線になっている。従って、上部５３０６及び側壁５３１６ａ’〜ｄ’は、立方体又は長方形の角柱を形成することができる。
【０１０８】
第１ジッパーテープ５３１２ａは、上部シェル５３０２の下部５３０８に結合されてよい。第１ジッパーテープ５３１２ａは、下部５３０８の側壁５３１６ａ’〜ｄ’のエッジに結合することができる。
【０１０９】
第１ジッパーテープ５３１２ａは、第２ジッパーテープ５３１２ｂに結合されてよい。ジッパーテープ５３１２ｂは、下部シェル５３０４に結合することができる。さらに、第２ジッパーテープ５３１２ｂは、下部シェル５３０４の側壁５３１６ａ〜ｄのエッジに結合されてよい。
【０１１０】
下部シェル５３０４は、ベース５３１４及び４つの側壁５３１６ａ〜ｄを含んでよい。ベース５３１４及び４つの側壁５３１６ａ〜ｄは、一体であってよい。側壁５３１６ａ〜ｄは、ベース５３１４から伸びることができる。好ましくは、各側壁５３１６は、ベース５３１４の平面に対して垂直であり、例えば直交するか、又はこれに対して接線になっている。従って、ベース５３１４及び側壁５３１６ａ〜ｄは、立方体又は長方形の角柱を形成することができる。さらに、ベース５３１４及び側壁５３１６ａ〜ｄは、それぞれ、内面及び外面を有してよい。
【０１１１】
さらに、各ハンドル５４０４は、側壁５３１６ａ〜ｄ（破線で示される）の間に配置された１つ又は複数の部分を有する伸縮シャフト５５０４ａ、５５０４ｂを含んでよい。各伸縮シャフト５５０４は、下部シェル５３０４のベース５３１４に結合された端部を有してよい。さらに、各伸縮シャフト５５０４は、ベース５３１４の内面に結合された端部を有してよい。
【０１１２】
荷物組立体５３００はまた、４つのホイール５３１８ａ〜ｄを含んでよい。ホイール５３１８ａ〜ｄは、下部シェル５３０４のベース５３１４の外面に結合することができる。好ましくは、各ホイール５３１８は、ベース５３１４のコーナーに結合されてよい。
【０１１３】
図５３Ｂは、旅行での構成でフラップ５３１０を有する荷物組立体５３００の斜視図を示す。荷物組立体５３００は、上部シェル５３０２、下部シェル５３０４、ハンドル５４０４ａ、５４０４ｂ、及び棚（図示せず）を含んでよい。上部５３０６は、例えば、ジッパー組立体６３０８を介して、下部５３０８に取り外し可能に結合することができる。
【０１１４】
上部シェル５３０２は、上部５３０６、下部５３０８、及びフラップ５３１０を含んでよい。フラップ５３１０は、下部５３０８から伸びることができる。フラップ５３１０を含む下部５３０８は、ジッパー組立体６３０８を介して下部シェル５３０４に取り外し可能に結合されてよい。ジッパー組立体６３０８は、下部５３０８及びフラップ５３１０に結合された第１ジッパーテープ５３１２ａを含んでよい。さらに、第１ジッパーテープ５３１２ａは、下部５３０８及びフラップ５３１０のエッジに結合されてよい。第１ジッパーテープ５３１２ａは、第２ジッパーテープ５３１２ｂに結合されてよい。ジッパーテープ５３１２ｂは、下部シェル５３０４に結合することができる。さらに、第２ジッパーテープ５３１２ｂは、下部シェル５３０４のエッジに結合されてよい。従って、ジッパー組立体６３０８は、ブロック体の文字「Ｕ」の形状を有してよい。
【０１１５】
下部シェル５３０４は、ベース５３１４及び４つの側壁５３１６ａ〜ｄを含んでよい。ベース５３１４及び４つの側壁５３１６ａ〜ｄは、一体であってよい。各側壁５３１６は、ベース５３１４から伸びることができる。好ましくは、各側壁５３１６は、ベース５３１４の平面に対して垂直であり、例えば直交するか、又はこれに対して接線になっている。従って、ベース５３１４及び側壁５３１６ａ〜ｄは、立方体又は長方形の角柱を形成することができる。さらに、ベース５３１４及び側壁５３１６ａ〜ｄは、それぞれ、内面及び外面を有してよい。
【０１１６】
側壁５３１６ａは、フラップ５３１０を受け入れるための開口を有してよい。ジッパーテープ５３１２ａ（フラップ５３１０のエッジに結合されている）は、ジッパーテープ５３１２ｂ（側壁５３１６ａのエッジに結合されている）に取り外し可能に結合されてよい。側壁５３１６ａに結合されると、フラップ５３１０はより大きな平面を形成することになる。
【０１１７】
荷物組立体５３００はまた、４つのホイール５３１８ａ〜ｄを含んでよい。ホイール５３１８ａ〜ｄは、下部シェル５３０４のベース５３１４の外面に結合することができる。好ましくは、各ホイール５３１８は、ベース５３１４のコーナーに結合されてよい。いくつかの種類では、ホイール５３１８は、様々な構成、例えば、ベース５３１４の各側面を中心としたものの構成、また円形、五角形、六角形、八角形の構成で、ベース５３１４の外面に結合されてよい。
【０１１８】
図５４は、延長位置にハンドル５４０４ａ、５４０４ｂを有する荷物組立体５３００の斜視図を示す。荷物組立体５３００は、上部シェル５３０２及び下部シェル５３０４を含んでよい。上部シェル５３０２は、例えば、ジッパー組立体６３０８を介して、下部シェル５３０４に取り外し可能に結合することができる。
【０１１９】
上部シェル５３０２は、これに貫通する４つの通孔５４０２ａ〜ｄを有してよい。各通孔５４０２は、ハンドル５４０４の管５５０６を受け入れてよい。例えば、通孔５４０２ａ、５４０２ｂは、それぞれ、ハンドル５４０４ａの管５５０６ａ、５５０６ａ’を受け入れてよい。通孔５４０２ｃ、５４０２ｄは、それぞれ、ハンドル５４０４ｂの管５５０６ａ、５５０６ａ’を受け入れてよい。
【０１２０】
従って、ハンドル５４０４ａ、５４０４ｂのそれぞれの管５５０６ａ、５５０６ａ’は、上部シェル５３０２の下部５３０８を通ってスライドすることができる。さらに、各管５５０６は、下部５３０８を通って伸びることができる。
【０１２１】
図５５は、拡張位置にある２つの荷物ハンドル５４０４ａ、５４０４ｂの斜視図を示している。各ハンドル５４０４は、クロスバー５５０２、第１伸縮シャフト５５０４ａ、及び第２伸縮シャフト５５０４ｂを含んでよい。伸縮シャフト５５０４ａ、５５０４ｂはそれぞれ、クロスバー５５０２の端部に結合することができる。結合されると、伸縮シャフト５５０４ａ、５５０４ｂ及びクロスバー５５０２はブロック体の文字「Ｕ」を形成する。
【０１２２】
各伸縮シャフト５５０４は、同心円状の管５５０６のセットを含んでよい。伸縮シャフト５５０４ａは管５５０６ａ〜ｃを有してよい。管５５０６ａ〜ｃは、互いにスライド可能に結合されてよい。また、伸縮シャフト５５０４ｂは、管５５０６ａ’〜ｃ’を有してよい。管５５０６ａ’〜ｃ’はまた、互いにスライド可能に結合されてよい。
【０１２３】
各伸縮シャフト５５０４に関して、上管５５０６は、下管５５０６の直径よりも小さい直径を有してよい。例えば、管５５０６ａ、５５０６ａ’は、それぞれ、管５５０６ｂ〜ｃ、５５０６ｂ’〜ｃ’の直径よりも小さい直径を有してよい。さらに、管５５０６ｂ、５５０６ｂ’は、それぞれ、管５５０６ｃ、５５０６ｃ’の直径よりも小さい直径を有してよい。
【０１２４】
従って、より小さな管５５０６ａ、５５０６ａ’は、より大きな対応する管５５０６ｂ、５５０６ｂ’内に配置された部分を有してよい。また、管５５０６ｂ、５５０６ｂ’は、それぞれ、対応する管５５０６ｃ、５５０６ｃ’内に配置された部分を有してよい。
【０１２５】
隣接する管の各対について、上管５５０６は、下管５５０６の通孔５５１０を通って伸びるロック５５１２を有してよい。例えば、上管５５０６ａは、下管５５０６ｂに配置された通孔５５１０ｂを通って伸びるロック５５１２ａを有してよい。バネ又はコイル（図示せず）がロック５５１２ａを押すことができる。従って、バネ又はコイルは、ロック５５１２ａが通孔５５１０ｂを通して延長されたままにしていてよい。追加の通孔５５１０は、下管５５０６ｂを通して配置されてよい。従って、これらの通孔５５１０は、それぞれロック５５１２ａを受け入れることができる。隣接する管５５０６ｂ〜ｃ、５５０６ａ’〜ｂ’、５５０６ｂ’〜ｃ’の対は、それぞれ、上記で論じたのと同様の構成要素及び構成を有してよい。
【０１２６】
従って、図５５に示すように、ハンドル５４０４ａ、５４０４ｂは、それぞれ、ロック５５１２ａ〜ｂ、５５１２ａ’〜ｂ’を有することができる。各ハンドル５４０４において、ロック５５１２ａ〜ｂ、５５１２ａ’〜ｂ’は、ボタン５５１４によって作動させることができる。ボタン５５１４は、直接又は間接的に、作動装置（図示せず）に結合されてよい。作動装置は、直接又は間接的に、ロック５５１２ａ〜ｂ、５５１２ａ’〜ｂ’に結合されてよい。作動装置は、伸縮式の荷物ハンドルに使用される任意の種類のものであってよい。さらに、作動装置は、ハンドル５４０４の管５５０６内に配置することができる。
【０１２７】
ボタン５５１４が押されると、作動装置は、ロック５５１２が伸びる管５５０６からロック５５１２を外す。解放されたロック５５１２は、管５５０６の中心軸に向かって内側に押されてよい。ハンドル５４０４のクロスバー５５０２を下向きに押して、上管５５０６を下管５５０６の中へスライドさせてよい。逆に、クロスバー５５０２を上向きに引っ張って、上管５５０６を下管５５０６の中からスライドさせてよい。いずれの場合も、上管５５０６の一部は、解放されたロック５５１２を通り過ぎてスライドすることができる。
【０１２８】
図５６は、拡張した構成の上部シェル５３０２を有する荷物組立体５３００の斜視図を示す。荷物組立体５３００は、上部シェル５３０２、下部シェル５３０４、及びハンドル５４０４ａ、５４０４ｂを含んでよい。上部シェル５３０２は、上部５３０６、下部５３０８、拡張カーテン５６０２、及びフラップ５３１０を含んでよい。好ましくは、フラップ５３１０の下部の１つ又は複数のエッジは、例えば、ジッパー組立体６３０８を介して、下部シェル５３０４の１つ又は複数のエッジに取り外し可能に結合される。
【０１２９】
さらに、フラップ５３１０は、拡張カーテン５６０２から伸びることができる。フラップ５３１０の上部は、拡張カーテン５６０２の下に配置することができる。上部シェル５３０２の下部５３０８の下端は、例えば、縫合糸を介して、拡張カーテン５６０２に結合されてよい。拡張カーテン５６０２は、下部５３０８に対して円周方向に延在することができる。従って、拡張カーテン５６０２は、長方形の角柱を形成することができる。
【０１３０】
拡張カーテン５６０２は、フラップ５６０４を含んでよい。フラップ５６０４は、ブロック体の文字「Ｕ」を形成するエッジを有してよい。第１ジッパーテープ５３１２ａは、フラップ５６０４のエッジに結合されてよい。第１ジッパーテープ５３１２ａは、第２ジッパーテープ５３１２ｂに取り外し可能に結合することができる。第２ジッパーテープ５３１２ｂは、拡張カーテン５６０２に結合することができる。第１ジッパーテープ５３１２ａが第２ジッパーテープ５３１２ｂから切り離されたとき、拡張カーテン５６０２は開口を有することになる。開口は、荷物組立体５３００の内部へのアクセスを与えてよい。
【０１３１】
また、拡張カーテン５６０２は、第１ジッパーテープ５３１２ｃ及び第２ジッパーテープ５３１２ｄを有してよい。ジッパーテープ５３１２ｃ、５３１２ｄは、拡張カーテン５６０２の表面に平行に伸びる部分を有してよい。好ましくは、ジッパーテープ５３１２ｃ、５３１２ｄは、互いに平行に伸びることができる。各ジッパーテープ５３１２は、拡張カーテン５６０２の周りにリングを形成することができる。
【０１３２】
第１ジッパーテープ５３１２ｃ及び第２ジッパーテープ５３１２ｄは、例えば、クリップ又はステープルを介して結合された端部を有してよい。
【０１３３】
拡張した構成では、第１ジッパーテープ５３１２ｃの一部は、場合によっては、第２テープ５３１２ｄの一部に結合されなくてよい。さらに、スライダー６５０６は、ジッパーテープ５３１２ｃ、５３１２ｄ、例えば、ボックス及びピン、ストップ、又はステープルの端部に隣接することができる。従って、上部シェル５３０２の下部５３０８は、地面から離れて伸びることができる。さらに、下部５３０８は、拡張カーテン５６０２の高さまで、下部シェル５３０４から離れて延長されてよい。従って、荷物組立体５３００内により多くの容積を作り出すことができる。
【０１３４】
さらに、ハンドル５４０４ａ、５４０４ｂは、それぞれ、伸縮シャフト５５０４ａ、５５０４ｂが延長されていてよい。伸縮シャフト５５０４は、上部シェル５３０２と下部シェル５３０４との間に配置された４つの管５５０６ｂ〜ｃ、５５０６ｂ’〜ｃ’（図６０を参照）を有してよい。管５５０６ｂ〜ｃ、５５０６ｂ’〜ｃ’は延長できる。さらに、管５５０６ｂ、５５０６ｃ及び管５５０６ｂ’、５５０６ｃ’は、場合によっては、例えば、ロックピンを介して、それぞれ互いに向かってスライドすることが阻止されてよい。さらに、管５５０６ｂ、５５０６ｂ’はそれぞれ、上部シェル５３０２の内面（図示せず）に隣接する上部ラジアル面（ｕｐｐｅｒ  ｒａｄｉａｌ  ｆａｃｅ）（５５１６、図５５を参照）を有してよい。従って、拡張カーテン５６０２は、拡張されたままであってよい。
【０１３５】
逆に、折り畳まれた構成では、上部シェル５３０２の下部５３０８は、下部シェル５３０４に隣接して配置されてよい（図６３Ａを参照）。例えば、旅行者は、スライダー６５０６をジッパーテープ５３１２ｃ、５３１２ｄの端部から、例えば、左に引いて離すことによって、拡張カーテン５６０２を折り畳む。ジッパーテープ５３１２ｃ、５３１２ｄの歯は、結合されるであろう、例えば、メッシュであろう。さらに、拡張カーテン５６０２の上端及び下端は、互いに向かって引いて寄せられるであろう。従って、拡張カーテン５６０２の上端と下端との間の１つ又は複数の部分は、皺の付いたものになるであろう。
【０１３６】
図５７は、第１レベルの棚構成における荷物組立体５３００の斜視図を示している。荷物組立体５３００は、上部シェル５３０２、下部シェル５３０４、２つのハンドル５４０４ａ、５４０４ｂ、及び棚５７０２ａ、５７０２ｂを含んでよい。各ハンドル５４０４は、拡張した構成であってよい。
【０１３７】
上部シェル５３０２は、上部５３０６、下部５３０８、及びブラケット５７０４ａ〜ｄを含んでよい。好ましくは、ブラケット５７０４ａ、５７０４ｂは、上部５３０６の第１側面から延在することができる。また、ブラケット５７０４ｃ、５７０４ｄは、第１側面と反対側の第２側面から延在することができる。
【０１３８】
上部５３０６は、下部５３０８から切り離されてよい。下部５３０８は、上部５３０６から切り離されたときに開口５７０６を有することになる。１つ又は複数の棚５７０２は、開口５７０６を通って出入りすることができてよい。
【０１３９】
ブラケット５７０４ａ、５７０４ｂは、ハンドル５４０４ａのクロスバー５５０２ａに結合されてよい。ブラケット５７０４ｃ、５７０４ｄは、ハンドル５４０４ｂのクロスバー５５０２ｂに結合されてよい。従って、上部５３０６は、ハンドル５４０４ａ、５４０４ｂ上にセットされてよい。
【０１４０】
図５７に示されるように、ブラケット５７０４ａ、５７０４ｂは下向きに湾曲している（図５３での上方に湾曲しているブラケットと比較して）。図示されていないが、ブラケット５７０４ｃ、５７０４ｄも下向きに湾曲するようになっている。ブラケット５７０４ａ〜ｄは、上部シェル５３０２の上部５３０６が上下逆さまに反転されることがあるので、下向きに湾曲してよい。従って、上部５３０６の内面は、例えば、下部５３０８から離れるように、上向きに反転することができる。
【０１４１】
第１棚５７０２ａは、上部シェル５３０２の上部５３０６の内面に結合されてよい。ストラップ５７０８は、上部５３０６及び棚５７０２ａに結合されてよい。ストラップ５７０８は、裏返しにされた上部５３０６の外面に結合されてよい。ストラップ５７０８は、上部５３０６からぶら下がっていてよい。従って、棚５７０２ａは、上部５３０６から吊り下げられてよい。
【０１４２】
さらに、第２棚５７０２ｂは、追加のストラップ５７０８を介して、第１棚５７０２ａに結合されてよく、例えば、吊り下げられてよい。
【０１４３】
図５８を参照すると、ストラップ５７０８ａ〜ｄは、２つの棚５７０２ａ、５７０２ｂに結合されてよい。ストラップ５７０８ａ〜ｄは、２つの棚５７０２ａ、５７０２ｂの間に配置することができる。ストラップ５７０８ａ〜ｄは、棚５７０２ａ、５７０２ｂに対して垂直であってよい。各ストラップ５７０８の端部は、上部シェル５３０２の内面に結合することができる。
【０１４４】
各ストラップ５７０８は、第１ストラップ部分５８０２ａ、第２ストラップ部分５８０２ｂ、クリップ５８０４、及びバックル５８０６を含んでよい。第１ストラップ部分５８０２ａは、クリップ５８０４に結合された部分を有してよい。第２ストラップ部分５８０２ｂは、バックル５８０６に結合された部分を有してよい。クリップ５８０４及びバックル５８０６は、取り外し可能に結合することができる。クリップ５８０４及びバックル５８０６は、デルリンクリップバックルの一部であってよい。クリップ５８０４は、バックル５８０６に挿入されてよい。
【０１４５】
さらに、各ストラップ部分５８０２は、スライダー（図示せず）にネジ止めで結合することができる。スライダーは、ストラップ部分５８０２の長さの調整を提供するように構成されてよい。従って、棚５７０２ａ、５７０２ｂの間のスペースは、スライダーを介して調整することができる。
【０１４６】
棚５７０２に結合されたストラップ部分５８０２は、ストラップ５７０８’を形成するように結合されてよい。例えば、ストラップ部分５８０２ａ、５８０２ｂは、ストラップ５７０８’を形成するように結合されてよい。部分５８０２ａ、５８０２ｂの各端部は、棚５７０２ａの側面に結合することができる。ストラップ部分５７０８’は、棚５７０２ａと平行に配置することができる。
【０１４７】
図５９は、下部シェル５３０４から切り離された上部シェル５３０２を有する荷物組立体５３００を示している。荷物組立体５３００はまた、拡張位置に２つのハンドル５４０４ａ、５４０４ｂを含んでよい。
【０１４８】
上部シェル５３０２は、上部５３０６、下部５３０８、及びフラップ５３１０を含んでよい。上部５３０６は、例えば、ジッパー組立体６３０８を介して、下部５３０８に取り外し可能に結合することができる。フラップ５３１０は、下部５３０８から伸びることができる。第１ジッパーテープ５３１２ａは、下部５３０８に結合されてよい。第１ジッパーテープ５３１２ａは、下部５３０８のエッジに結合することができる。また、第１ジッパーテープ５３１２ａは、フラップ５３１０に結合されてよい。さらに、第１ジッパーテープ５３１２ａは、フラップ５３１０のエッジに結合されてよい。第１ジッパーテープ５３１２ａは、第２ジッパーテープ５３１２ｂに結合されてよい。第２ジッパーテープ５３１２ｂは、下部シェル５３０４に結合されてよい。さらに、第２ジッパーテープ５３１２ｂは、下部シェル５３０４のエッジ及び／又は側壁に結合されてよい。
【０１４９】
下部シェル５３０４は、ベース５３１４及び４つの側壁５３１６ａ〜ｄを含んでよい。ベース５３１４及び４つの側壁５３１６ａ〜ｄは、一体であってよい。各側壁５３１６は、ベース５３１４から伸びることができる。好ましくは、各側壁５３１６は、ベース５３１４の平面に対して垂直であり、例えば直交するか、又はこれに対して接線になっている。従って、ベース５３１４及び側壁５３１６ａ〜ｄは、立方体又は長方形の角柱を形成することができる。さらに、ベース５３１４及び側壁５３１６ａ〜ｄは、それぞれ、内面及び外面を有してよい。
【０１５０】
側壁５３１６ａは、フラップ５３１０を受け入れるための開口を有してよい。ジッパーテープ５３１２ａ（フラップ５３１０のエッジに結合されている）は、ジッパーテープ５３１２ｂ（側壁５３１６ａのエッジに結合されている）に取り外し可能に結合されてよい。
【０１５１】
各ハンドル５４０４の各伸縮シャフト５５０４は、複数の管５５０６ａ〜ｄ、５５０６ａ’〜ｄ’を有することができる。管５５０６ａ〜ｂ、５５０６ａ’〜ｂ’は、上部シェル５３０２の上に配置することができる。管５５０６ｂ、５５０６ｂ’は、それぞれ、通孔５４０２ａ、５４０２ｂを通って伸びてよい。
【０１５２】
さらに、管５５０６ｃ〜ｄ、５５０６ｃ’〜ｄ’は、上部シェル５３０２と下部シェル５３０４との間に配置されてよい。さらに、管５５０６ｃ〜ｄ、５５０６ｃ’〜ｄ’は、下部シェル５３０４の側壁５３１６ａ〜ｄの間に配置されている。管５５０６ｄ、５５０６ｄ’はそれぞれ、下部シェル５３０４のベース５３１４に結合された下端を有してよい（図５３Ａを参照）。さらに、管５５０６ｃ、５５０６ｃ’は、上部ラジアル面を有してよい（５５１６、図５５を参照）。管５５０６ｃ、５５０６ｃ’は、通孔５４０２ａ、５４０２ｂの直径よりも大きい直径を有してよい。場合によっては、これらの管５５０６ｃ、５５０６ｃ’は上部シェル５３０２を貫通しなくてよい。従って、管５５０６ｃ、５５０６ｃ’は、上部シェル５３０２の内面に隣接することができる。このため、拡張した構成では、伸縮シャフト５５０４ａ、５５０４ｂが上部シェル５３０２を支持してよい。延長された伸縮シャフト５５０４ａ、５５０４ｂは、上部シェル５３０２及び下部シェル５３０４を分離しておくことができる。
【０１５３】
図６０は、第２レベルの棚構成における荷物組立体５３００を示している。荷物組立体５３００は、上部シェル５３０２、下部シェル５３０４、２つのハンドル５４０４ａ、５４０４ｂ、及び棚５７０２ａ、５７０２ｂを含んでよい。下部シェル５３０４は、側壁５３１６ｂ、５３１６ｄの一部が折り畳まれているか、又は丸められていてよい。上部シェル５３０２は、１つ又は複数のフラップ５３１０が折り畳まれているか、又は丸められていてよい。
【０１５４】
各ハンドル５４０４の各伸縮シャフト５５０４は、複数の管５５０６ａ〜ｃ、５５０６ａ’〜ｃ’を有してよい。管５５０６ａ、５５０６ａ’は、それぞれの管５５０６ｂ、５５０６ｂ’にスライド可能に結合されてよい。管５５０６ａ、５５０６ａ’の一部は、それぞれの管５５０６ｂ、５５０６ｂ’に配置することができる。管５５０６ｂ、５５０６ｂ’は、それぞれの管５５０６ｃ、５５０６ｃ’にスライド可能に結合されてよい。管５５０６ｂ、５５０６ｂ’の一部は、それぞれの管５５０６ｃ、５５０６ｃ’に配置することができる。
【０１５５】
各ハンドル５４０４の管５５０６ａ、５５０６ａ’は、上部シェル５３０２を通って伸びる部分を有してよい。各ハンドル５４０４の管５５０６ａ、５５０６ａ’は、上部シェル５３０２の下に配置された部分を有してよい。各ハンドル５４０４の管５５０６ａ、５５０６ａ’は、上部シェル５３０２の上に配置された部分を有してよい。ハンドル５４０４ａの管５５０６ａ、５５０６ａ’は、それぞれ、通孔５４０２ａ〜ｂを通って伸長してよく、及び／又は折り畳まれてよい。ハンドル５４０４ｂの管５５０６ａ、５５０６ａ’は、それぞれ、通孔５４０２ｃ〜ｄを通って伸長してよく、及び／又は折り畳まれてよい。
【０１５６】
さらに、管５５０６ｂ〜ｃ、５５０６ｂ’〜ｃ’は、上部シェル５３０２と下部シェル５３０４との間に配置されてよい。さらに、管５５０６ｂ〜ｃ、５５０６ｂ’〜ｃ’は、下部シェル５３０４の側壁５３１６ａ〜ｄの間に配置されている。管５５０６ｃ、５５０６ｃ’はそれぞれ、下部シェル５３０４のベース５３１４に結合された下端を有してよい（図５３Ａを参照）。さらに、管５５０６ｂ、５５０６ｂ’は、上部ラジアル面を有してよい（５５１６、図５５を参照）。管５５０６ｂ、５５０６ｂ’は、通孔５４０２ａ、５４０２ｂの直径よりも大きい直径を有してよい。場合によっては、これらの管５５０６ｂ、５５０６ｂ’は上部シェル５３０２を貫通しなくてよい。従って、管５５０６ｂ、５５０６ｂ’は、上部シェル５３０２の内面に隣接することができる。従って、拡張した構成では、伸縮シャフト５５０４ａ、５５０４ｂが上部シェル５３０２を支持してよい。延長された伸縮シャフト５５０４ａ、５５０４ｂは、上部シェル５３０２及び下部シェル５３０４を分離しておくことができる。
【０１５７】
第１棚５７０２ａは、上部シェル５３０２の内面に結合されてよい。ストラップ５７０８は、上部シェル５３０２の下部５３０８及び棚５７０２ａに結合することができる。さらに、ストラップ５７０８は、下部５３０８の内面に結合することができる。また、ストラップ５７０８は、上部シェル５３０２からぶら下がっていてよい。従って、棚５７０２ａは、下部５３０８から吊り下げられてよい。
【０１５８】
加えて、第２棚５７０２ｂは、追加のストラップ５７０８を介して、第１棚５７０２ａに結合されてよく、例えば、ここから吊り下げられてよい。棚５７０２ａ、５７０２ｂは、図５８を参照して上述したように結合することができる。
【０１５９】
図６１は、第１レベルの棚構成及び第２レベルの棚構成における荷物組立体５３００を示している。第１レベルの棚構成は、上部シェル５３０２の上部５３０６と下部５３０８との間に棚５７０２を有する。第１レベルの棚構成の説明は、図５７に関連して上記の説明の中で参照されてよい。第２レベルの棚構成は、上部シェル５３０２と下部シェル５３０４との間に棚５７０２を有する。第２レベルの棚構成の説明は、図６０に関連して上記の説明の中で参照されてよい。
【０１６０】
図６２Ａは、拡張した構成のテーブルトップ６２０２を含む荷物組立体５３００を示している。テーブルトップ６２０２は、ベース６２０４、２つのテーブルリーフ６２０６ａ、６２０６ｂ、ヒンジ６２０８、及びストラップ５７０８を含んでよい。さらに、テーブルトップ６２０２は、荷物組立体５３００の上部シェル５３０２の上部であってよい。テーブルトップ６２０２は、上部シェル５３０２の下部５３０８に結合することができてよい。テーブルトップ６２０２は、それに結合された第１ジッパーテープを有するエッジを有してよい。第１ジッパーテープは、第２ジッパーテープに結合することができてよい。第２ジッパーテープは、上部シェル５３０２の下部５３０８に結合されてよい。
【０１６１】
下部５３０８に結合されたとき、テーブルトップ６２０２は、テーブルリーフ６２０６ａ、６２０６ｂが荷物組立体５３００の下部シェル５３０４の方を向くことができるように、反転されてよい。従って、テーブルリーフ６２０６ａ、６２０６ｂは、荷物組立体５３００の上部シェル５３０２の下部５３０８の開口５７０６に隣接していてよい。これに代えて、テーブルリーフ６２０６ａ、６２０６ｂは、開口５７０６に配置されてよい。
【０１６２】
拡張した構成では、テーブルリーフ６２０６ａ、６２０６ｂの上面６２１２ａ、６２１２ｂは、ベース６２０４の上面６２１０と同一平面上にあってよい。２つのテーブルリーフ６２０６ａ、６２０６ｂは、ベース６２０４の側面に結合することができる。各テーブルリーフ６２０６は、ベース６２０４の側面に隣接して配置された側面を有してよい。各テーブルリーフ６２０６は、ベース６２０４の側面に平行な側面を有してよい。テーブルリーフ６２０６の側面は、ヒンジ６２０８を介してベース６２０４の側面に枢動可能に結合されてよい。従って、各テーブルリーフ６２０６は、ベース６２０４の上面６２１０上に折り畳むことができる。
【０１６３】
各テーブルリーフ６２０６は、ベース６２０４の長さ及び幅にほぼ等しい、長さ及び幅を有してよい。さらに、各テーブルリーフ６２０６は、ヒンジ６２０８に隣接する、及び／又はテーブルリーフ６２０６の第２側面である反対側面よりも厚いベースに隣接する第１側面を有してよい。従って、各テーブルリーフ６２０６は、ベース６２０４から伸びる先細りのプロファイルを有してよい。
【０１６４】
棚５７０２は、ストラップ５７０８を介してベース６２０４に結合されてよい。ストラップ５７０８は、ベース６２０４（図示せず）の側面に結合されてよい。これに代えて、ストラップ５７０８は、ベース６２０４（図示せず）の下面に結合されてよい。
【０１６５】
図６２Ｂは、折り畳まれた構成のテーブルトップ６２０２を含む荷物組立体５３００を示している。テーブルトップ６２０２は、例えばヒンジを介して、テーブルトップ６２０２のベース６２０４の側面に結合された２つのテーブルリーフ６２０６ａ、６２０６ｂを含んでよい（図６２Ａを参照）。各テーブルリーフ６２０６は、ベース６２０４の側面に隣接して配置された側面を有してよい。各テーブルリーフ６２０６は、ベース６２０４の側面に平行な側面を有してよい。テーブルリーフ６２０６の側面は、ヒンジ６２０８を介してベース６２０４の側面に枢動可能に結合されてよい（図６２Ａを参照のこと）。従って、各テーブルリーフ６２０６は、ベース６２０４の上面上に折り畳むことができる。
【０１６６】
さらに、各リーフ６２０６は、ベース６２０４の長さ及び幅にほぼ等しい、長さ及び幅を有してよい。また、各リーフ６２０６は、ヒンジ６２０８に隣接する、及び／又は反対側よりも厚いベースに隣接する側面を有してよい。従って、その幅がプロファイルに示されている場合、各リーフ６２０６は先細りのプロファイルを有することになる。
【０１６７】
折り畳み位置では、第２テーブルリーフ６２０６ｂは、ベース６２０４に対して折り畳むことができる。第２リーフ６２０６ｂは、ベース６２０４の上面６２１０に隣接する上面６２１２ｂを有してよい。さらに、第２テーブルリーフ６２０６ｂの上面６２１２ｂは、ベース６２０４の上面６２１０に平行であってよい。第１テーブルリーフ６２０６ａは、第２リーフ６２０６ｂに対して折り畳むことができる。第１テーブルリーフ６２０６ａは、第２テーブルリーフ６２０６ｂの下面（図示せず）に隣接する上面６２１２ａを有してよい。第１テーブルリーフ６２０６ａの下面６２１４ａは、第２テーブルリーフ６２０６ｂの下面に平行であってよい。
【０１６８】
さらに、テーブルリーフ６２０６ａの薄い側は、テーブルリーフ６２０６ｂの厚い縁に隣接していてよい。また、テーブルリーフ６２０６ｂの薄い側は、テーブルリーフ６２０６ａの厚い側に隣接していてよい。
【０１６９】
また、テーブルリーフ６２０６ａ、６２０６ｂは、ストラップ５７０８を備えた折り畳まれた構成で保持されてよい。各ストラップ５７０８は、テーブルリーフ６２０６ａに結合された第１部分と、テーブルリーフ６２０６ｂに結合された第２部分とを有してよい。
【０１７０】
さらに、ブラケット５７０４ａ、５７０４ｂは、ベース６２０４の第１側面から伸びることができる。また、ブラケット５７０４ｃ、５７０４ｄは、第１側面の反対側のベース６２０４の第２側面から伸びることができる。
【０１７１】
ブラケット５７０４ａ、５７０４ｂは、ハンドル５４０４ａのクロスバー５５０２ａに結合することができる。ブラケット５７０４ｃ、５７０４ｄは、ハンドル５４０４ｂのクロスバー５５０２ｂに結合することができる。従って、ベース６２０４は、例えば、ハンドル５４０４ａ、５４０４ｂに結合されてよい。
【０１７２】
図６３Ａは、中間シェル６３０２を有する折り畳まれた構成の荷物組立体５３００を示している。荷物組立体５３００は、上部シェル５３０２、下部シェル５３０４、２つのハンドル５４０４ａ、５４０４ｂ、中間シェル６３０２、２つ以上のホイール５３１８、及び１つ以上の棚（図示せず）を含んでよい。上部シェル５３０２、下部シェル５３０４、及び中間シェル６３０２を結合してエンクロージャを形成することができる。棚や旅行用品、例えば衣類、化粧品、身の回り品などは、エンクロージャに収納できる。
【０１７３】
上部シェル５３０２及び中間シェル６３０２は、ジッパー組立体６３０８ｂを介して取り外し可能に結合することができる。ジッパー組立体６３０８は、第１ジッパーテープ５３１２ａ及び第２ジッパーテープ５３１２ｂを含んでよい。第１ジッパーテープ５３１２ａは、歯、スライダー、及びボックス（図示せず）を含んでよい。第２ジッパーテープ５３１２ｂは、歯及びピン（図示せず）を含んでよい。第１ジッパーテープ５３１２ａは、上部シェル５３０２の１つ又は複数の下エッジに結合されてよい。第２ジッパーテープ５３１２ｂは、中間シェル６３０２の１つ又は複数の上エッジに結合されてよい。
【０１７４】
さらに、下部シェル５３０４及び中間シェル６３０２は、ジッパー組立体６３０８ｃを介して取り外し可能に結合することができる。ジッパー組立体６３０８ｃは、第１ジッパーテープ５３１２ａ及び第２ジッパーテープ５３１２ｂを含んでよい。第１ジッパーテープ５３１２ａは、歯、スライダー、及びボックス（図示せず）を含んでよい。第２ジッパーテープ５３１２ｂは、歯及びピン（図示せず）を含んでよい。第１ジッパーテープ５３１２ａは、中間シェル６３０２の１つ又は複数の下エッジに結合することができる。第２ジッパーテープ５３１２ｂは、例えば、縫製又は縫合されて、下部シェル５３０４の１つ又は複数の上エッジに結合されてよい。
【０１７５】
また、中間シェル６３０２は、第１部分及び第２部分を有してよい。第１部分は、ジッパー組立体６３０８ａを介して第２部分に取り外し可能に結合することができる。第１部分は、フラップ６３０４を含んでよい。フラップ６３０４は、ブロック体の文字「Ｕ」を形成するエッジを有してよい。ジッパー組立体６３０８ａは、フラップ６３０４の縁部に結合することができる。
【０１７６】
図６３Ｂは、その外面が見えるように平らに置かれた中間シェル６３０２の斜視図を示す。中間シェル６３０２は、４つの側面６３０６ａ〜ｄ、ジッパー組立体６３０８ａ、グリップ６３１０、及びフラップ６３０４ａ、６３０４ｂを含んでよい。ジッパー組立体６３０８ａは、中間シェル６３０２の第１短辺６３０６ａから第２短辺６３０６ｂまで伸びることができる。ジッパー組立体６３０８ａの経路は、中間シェル６３０２内に２つのブロック体の文字「Ｕ」を形成してよい。ジッパー組立体６３０８ａのジッパーテープは、中間シェル６３０２が２つの部分に分離できるように、切り離されてよい。
【０１７７】
旅行中、旅行者は、ジッパー組立体６３０８ａの１つ又は複数の部分を開けて、フラップ６３０４ａ、６３０４ｂの一方又は両方の部分を外すことができる。旅行者は、各フラップ６３０４を持ち上げて、そこから物品を観察、挿入、及び／又は除去することができる。
【０１７８】
上部シェル５３０２、下部シェル５３０４、及び中間シェル６３０２が結合されると（図６３Ａを参照）、中間シェル６３０２の端部は重なることになる。従って、グリップ６３１０は、通孔６３１２を通って伸びることができる。
【０１７９】
さらに、第３ジッパーテープ５３１２ｃは、第６ジッパーテープ５３１２ｆに結合されることになる。第４ジッパーテープ５３１２ｄは、第５ジッパーテープ５３１２ｅに結合されるであろう。それぞれ結合されたジッパーテープ５３１２ｃ〜ｆは、場合によっては、中間シェル６３０２の短辺６３０６ａ、６３０６ｂが分離するのを阻止するであろう。
【０１８０】
図６３Ｃは、その内面が見えるように平らに置かれた中間シェル６３０２の斜視図を示している。ループテープ６３１４、例えばベルクロ（登録商標）（面ファスナー）テープは、中間シェル６３０２の内面に結合することができる。ループテープ６３１４は、中間シェル６３０２のフラップ６３０４の隣接する側面に配置することができる。ループテープ６３１４は、中間シェル６３０２の短辺に平行に整列されてよい。
【０１８１】
いくつかの種類では、ループテープ６３１４は、管５５０６ｄ、５５０６ｄ’の外面に結合されたフックテープ（図示せず）と整列されてよい（図６０を参照のこと）。ループテープ６３１４及びフックテープは、取り外し可能に結合することができる。従って、結合されたループテープ６３１４及びフックテープは、荷物組立体の上部シェル及び／又は下部シェルに対する中間シェル６３０２の移動を阻止してよい。
【０１８２】
図６３Ｄ〜Ｆは、様々なジッパーテープ組立体６３０８を示している。ジッパーテープ組立体６３０８は、上部シェル、中間シェル、及び／又は下部シェルを含む様々な荷物組立体構成要素を取り外し可能に結合するために使用されてよい。例えば、各ジッパー組立体６３０８は、下部シェル５３０４を備えた上部シェル５３０２に結合されてよい（図５３Ａ〜Ｂを参照のこと）。さらに、各ジッパー組立体６３０８は、上部シェル５３０２及び中間シェル６３０２に結合されてよい（図６３Ａを参照のこと）。また、各ジッパー組立体６３０８は、下部シェル５３０４及び中間シェル６３０２に結合されてよい（図６３Ａを参照のこと）。さらに、各ジッパー６３０８は、中間シェルの部分に結合することができる（図６３Ａ〜Ｂを参照）。
【０１８３】
図６３Ｄを参照すると、ジッパーテープ組立体６３０８は、第１ジッパーテープ５３１２ａ及び第２ジッパーテープ５３１２ｂを有してよい。第１ジッパーテープ５３１２ａは、第２ジッパーテープ５３１２ｂに取り外し可能に結合することができてよい。第１ジッパーテープ５３１２ａは、２つのボックスを含んでよい。各ボックスは、第２ジッパーテープ５３１２ｂのピンを受け取ることができる。
【０１８４】
さらに、第１ジッパーテープ５３１２ａは、第１ジッパーテープ５３１２ａの歯にスライド可能に結合された２つのスライダーを有してよい。２つのスライダーは、２つのボックスの間に配置することができる。
【０１８５】
図６３Ｅを参照すると、ジッパーテープ組立体６３０８は、第１ジッパーテープ５３１２ａ及び第２ジッパーテープ５３１２ｂを有してよい。第１ジッパーテープ５３１２ａは、第２ジッパーテープ５３１２ｂに取り外し可能に結合することができてよい。
【０１８６】
各ジッパーテープ５３１２は、ボックス、ピン、及びスライダーを含んでよい。ボックスは、ジッパーテープ５３１２の第１端部に配置することができる。ピンは、ジッパーテープ５３１２の第２端部に結合することができる。スライダーはボックスとピンの間に配置できる。スライダーは、ジッパーテープ５３１２の歯にスライド可能に結合することができる。
【０１８７】
第１ジッパーテープ５３１２ａのボックスは、第２ジッパーテープ５３１２ｂのピンを受け入れることができる。第２ジッパーテープ５３１２ｂのボックスは、第１ジッパーテープ５３１２ａのピンを受け入れることができる。
【０１８８】
図６３Ｆを参照すると、ジッパーテープ組立体６３０８は、第１ジッパーテープ５３１２ａ及び第２ジッパーテープ５３１２ｂを有してよい。第１ジッパーテープ５３１２ａは、第２ジッパーテープ５３１２ｂに取り外し可能に結合することができる。
【０１８９】
各ジッパーテープ５３１２は、ボックス、ピン、及びスライダーを含んでよい。ボックスは、ジッパーテープ５３１２の第１端部に配置することができる。ピンは、ジッパーテープ５３１２の第２端部に結合することができる。スライダーはボックスとピンの間に配置できる。スライダーは、ジッパーテープ５３１２の歯にスライド可能に結合することができる。
【０１９０】
第１ジッパーテープ５３１２ａのボックスは、第２ジッパーテープ５３１２ｂのピンを受け入れることができる。第２ジッパーテープ５３１２ｂのボックスは、第１ジッパーテープ５３１２ａのピンを受け入れることができる。
【０１９１】
さらに、各ジッパーテープ５３１２は、ジッパーストップ６３１０を有してよい。ジッパーストップ６３１０は、ジッパーテープ５３１２の第１セットの歯と第２セットの歯との間に配置することができる。
【０１９２】
ジッパーテープ５３１２ａ、５３１２ｂの一部がスライダーによって結合されたとき、それがジッパーストップ６３１０に突き当たるまで、スライダーはスライドされるであろう。場合によっては、ジッパーストップ６３１０は、スライダーがジッパーストップ６３１０を越えてスライドするのを阻止することができる。
【０１９３】
図６４は、伸縮式支持管組立体を有する荷物組立体５３００の斜視図を示す。荷物組立体５３００は、上部シェル５３０２、下部シェル５３０４、２つのハンドル５４０４ａ、５４０４ｂ、及び伸縮式支持シャフト６４０２を含んでよい。各伸縮式支持シャフト６４０２は、複数の支持管６４０４を含んでよい。各支持管６４０４は、ハンドル５４０４の伸縮シャフト５５０４の１つ又は複数の部分の周りに配置することができる。また、各支持管６４０４は、伸縮シャフト５５０４に対してスライドさせることができる。
【０１９４】
さらに、伸縮式支持シャフト６４０２の各支持管６４０４は、ネジ付き内側部分を有してよい。ネジ付き内側部分は、ネジ付き組立体６４０６に結合することができる。例えば、同心支持管６４０４ａは、それぞれ、ネジ付き組立体６４０６ａに結合されてよい。
【０１９５】
図６５は、ストラップ６５０２ａ、６５０２ｂを介して取り外し可能に結合された２つの荷物組立体５３００ａ、５３００ｂを示している。ストラップ６５０２ａ、６５０２ｂは、２つの荷物組立体５３００ａ、５３００ｂの隣接する、例えば、同一平面上の側壁に結合されてよい。ストラップ６５０２ａは、荷物組立体５３００ａ、５３００ｂの上部シェル５３０２に結合されてよい。ストラップ６５０２ｂは、荷物組立体５３００ａ、５３００ｂの下部シェル５３０４に結合されてよい。ストラップ６５０２ａは、バックルに取り外し可能に結合されたクリップを有してよい。
【０１９６】
図示されていないが、追加のストラップ６５０２が、２つの荷物組立体５３００ａ、５３００ｂの目に見える側面の反対側の側面に結合されてよいことは、理解されるべきである。
【０１９７】
荷物組立体の他の代替の種類は、図１〜５２を参照して説明することができる。
【０１９８】
図１，２，４，６，８を参照すると、本開示によるコンバーチブル棚スーツケースは、スーツケース９０を備え、これは、２つの格納式ハンドル組立体８０，８１と、柔らかい中間部分９４を介して互いに取り外し可能に結合された硬質シェル上部分９２及び硬質シェルベース部分９３とを備えている。２対のラグ部分９５、９６が硬質シェル上部分９２に規定されている。１対のラグ部分９５は、硬質シェル上部分９２の２つの前コーナーに配置され、他の対のラグ部分９６は、硬質シェル上部分９２の２つの後コーナーに配置される。基本的に、１つの格納式ハンドル組立体８０は、２つの前部ラグ部分９５で垂直に規定された通路９５１を通って、コンバーチブル棚スーツケース９０の前部に配置される。そして、他の格納式ハンドル組立体８１は、後部ラグ部分９６に垂直に規定された通路９６１を通って、コンバーチブル棚スーツケース９０の後部に配置されている。コンバーチブル棚スーツケース９０を垂直に伸ばすために、２対の外管が提供され、この１対７０は前部格納式ハンドル組立体８０用であり、他方の対７１は後部格納式ハンドル組立体８１用である。各対は、硬質シェルベース部分９３にしっかりと固定された下端を有する。また２対の内管が提供され、この１対６０は前部格納式ハンドル組立体８０用であり、他方の対６１は後部格納式ハンドル組立体８１用である。各対６０、６１は、外管の２つの対７０、７１の対応するものの上端にスライド可能に取り付けられた下端を有する。内管の各対６０、６１は、硬質シェル上部分９２の対応する対のラグ部分９５、９６の通路９５１、９６１にしっかりと受け入れられた、上端を有する。硬質シェル上部分９２と硬質シェルベース部分９３との間の主要室５０は、完全に伸ばすことができ、完全に伸ばされた取り外し可能な吊り棚４０を収容することができる。ハンドル部分８２、８３に上向きの力を加えることにより、内管の２つの対６０，６１が外管の対応する対７０、７１において上向きにスライドする。対応する内管の下端に規定されたボア６００，６１０が、対応する外管７０、７１の上端に規定されたボア７００，７１０と整列したときに、移動が停止する。対応する内管６０，６１の下端に収容された対応するバイアス部材のバネの戻り力によって、対応するスタブ６０１、６１１によって挿入される。
【０１９９】
図６，１０，１１，１２，１３，２２を参照すると、コンバーチブル棚スーツケース９０の主要室５０のフレームを伸ばすことができる前に、最初に、硬質シェル上部分９２を硬質シェルベース部分９３から柔らかい中間部分９４を通して取り外す必要がある。従って、本開示の別の目的は、柔らかい中間部分９４が、２つの長辺９４１、９４２及び２つの短辺９４３、９４４を有する長い長方形のかばん布を備えることである。長方形のかばん布の２つの長辺９４１、９４２のエッジに縫い付けられた、単一のスライダー９４５、９４６を備えた開放端ジッパーの２つの半分は、硬質シェル上部分９２の下エッジと硬質シェルベース部分９３の上エッジとに縫い付けられた開放端ジッパーの２つの半分９２５、９２６に対応する。スーツケースサイドハンドル９４７は、一方の短辺９４３のエッジの近くに取り付けられるか又は縫い付けられ、対応する長方形の開口９４８が他方の短辺９４４のエッジの近くに形成される。柔らかい中間部分９４の開放端ジッパーの２つの半分９４５、９４６は、硬質シェル上部分９２の対応する開放端ジッパーの２つの半分９２５、９２６の一端９３５、９３６、及び柔らかい中間部分９４の一端９５５、９５６での硬質シェルベース部分９３に固定され、主要室５０の周りでジッパーで閉じられている。これにより、柔らかい中間部分９４の他の端部９６５、９６６が開始端部９５５、９５６と重なっている。重なることは、３つのことを実現するが、これに限定されない。第１に、重なることにより、柔らかい中間部分９４を取り外して洗浄又は交換することができる。しかしながら、洗浄又は交換のために取り外すことができない柔らかい中間部分９４を有する、柔らかいコンバーチブル棚スーツケース９０の他の変形例がある。第２に、重なることは、セキュリティの目的でジッパースライダー９７５、９７６を隠す。隠されたジッパースライダー９７５、９７６へのアクセスをさらに保護するために、開放端ジッパー９８１が、硬質シェルベース部分９３の端から硬質シェル上部分９２の端まで、垂直に長方形の開口９４８を有する柔らかい中間部分９４の重なり合う短辺９４４のエッジに沿って縫われる。開放端ジッパー９８１のスライダー９８２のプルタブ上の穴が、双方向開放端ジッパー９９４の２つのスライダー９９２、９９３の２つのロック穴と一列に並び、これにより、南京錠（ここには図示せず）の掛け金が通過してロックする。サイドハンドル９４７をさらに頑丈にするために、別の開放端ジッパー９８０は、硬質シェル上部分９２の端からシェルベース部分９３の端まで、垂直にスーツケースサイドハンドル９４７を伴う柔らかい中間部分９４の重なり合った短辺９４３のエッジに沿って縫い付けられる。スーツケースサイドハンドル９４７をさらに頑丈にするために、ベルクロ（登録商標）（面ファスナー）９５０は、スーツケースサイドハンドル９４７を囲む重なり合う領域の２つの対応する接触面に縫い付けられている。第３に、重なることにより、スーツケースサイドハンドル９４７を備えた柔らかい中間部分９４の一方の短辺９４３を、長方形の開口９４８を備えた他の短辺９４４と重ねることをして、スーツケースサイドハンドル９４７を形成することを可能にする。これにより、ハンドル９４７が長方形の開口９４８に適合するようにすることによって、スーツケースサイドハンドル９４７を形成することができる。
【０２００】
図７，１０，１１，１２，１３を参照すると、本開示の別の目的は、主要室５０内の内容物への容易なアクセスを作り出すだけでなく、柔らかい中間部分９４を除去せずに、硬質シェル上部分９２を硬質シェルベース部分９３から取り外す別の方法を提供する、下記の方法で、さらに分離される柔らかい中間部分９４を提供することである。柔らかい中間部分９４はさらに取り外されて、コンバーチブル棚スーツケース９０の２つの側、即ち前部及び後部へのアクセスを作り出すことができる。柔らかい中間部分９４は、上部９９９及び下部９９８に取り外し可能であり、これらは、双方向開放端ジッパー９９４の２つの半分と取り外し可能に結合されている。この場合に使用される双方向開放端ジッパー９９４は、以下の方法で前述の例に使用された開放端ジッパー９４５、９４６に類似している。ジッパーの２つの半分は、互いに取り外し可能である。しかしながら、２つの間の唯一の違いは、双方向開放端ジッパー９９４が、頭と頭の関係で配置されたダブルスライダー９９２、９９３を有するのに対し、開放端ジッパー９４５、９４６は、単一のスライダー９７５、９７６のみを有することである。双方向開放端ジッパー９９４の２つの半分は開放端ジッパーの２つの半分９４５、９４６と同様の方法で縫い付けられ、両方ともスーツケース９０の主要室５０の周りにジッパーで閉じられる。スーツケースサイドハンドル９４７を伴う一端９４３が、長方形の開口９４８を有する他端９４４と重なっている。しかしながら、前者の場合、開放端ジッパーの２つの半分９４５、９４６は水平に直線で縫われるが、後者の場合、双方向開放端ジッパー９９４の２つの半分はジグザグのように縫われて前フラップ５１、後フラップ５２及びサイドフラップ５３、５４を作成する。双方向開放端ジッパー９９４の２つの半分が、上部９９９の下端及び下部９９８の上端に沿ってジグザグのように縫い付けられると、柔らかい中間部分９４の上部９９９及び下部９９８は、スーツケースサイドハンドル９４７の上の柔らかい中間部分９４の端部９９０の一方から始まり、長辺９４２の上エッジから１インチ下の２つのスライダー９９２、９９３の１つによって以下の方法で固定されてジッパーで閉じられ、次に、側部分が終わり別の前部分が始まる点に達するまで、水平にジッパーで閉じられる。次にそれらは、柔らかい中間部分９４の長辺９４１の下エッジから１インチまで下に向かって垂直にジッパーで閉じられ、次に、前部分が終わり別の側部分が始まる点に達するまで、開始点から離れて水平にジッパーで閉じられる。次にそれらは、柔らかい中間部分９４の長辺９４２の上エッジから１インチまで上に向かって垂直にジッパーで閉じられ、次に、側部が終わり別の前部分が始まる点に達するまで、開始点から離れて水平にジッパーで閉じられる。次にそれらは、柔らかい中間部分９４の長辺９４１の下エッジから１インチまで、底部に向かって垂直にジッパーで閉じられ、次に、前部分が終わり側部分が始まる点に達するまで、開始点から離れて水平にジッパーで閉じられる。次にそれらは、柔らかい中間部分９４の長辺９４２の上エッジから１インチまで、上に向かって垂直にジッパーで閉じられ、次に、長方形の開口９４８を伴う柔らかい中間部分９４の他端９９１に達するまで、開始点から離れて水平にジッパーで閉じられる。その結果、柔らかい中間部分９４の上部９９９の一部として前フラップ５１及び後フラップ５２が形成され、柔らかい中間部分９４の下部９９８の一部として２つのサイドフラップ５３、５４が形成される。しかしながら、前及び後フラップ５１、５２のみが主要室５０の内容物へのアクセスを作り出す一方、両方のサイドフラップ５３、５４が４つのベルクロ（登録商標）スリーブ５６によって４つの外管７０に取り付けられているため、サイドフラップ５３、５４はアクセスを作り出さない。ベルクロ（登録商標）スリーブ５６は、サイドフラップ５３、５４の内側に、外管７０の上部から外管７０の底部まで縫い付けられている。従って、ベルクロ（登録商標）スリーブ５６が４つの外管７０に上から下まで巻き付いたとき、サイドフラップ５３、５４は、主要室５０において４つの外管７０に上から下までしっかりと保持される。双方向開放端ジッパー９９４が、柔らかい中間部分９４の両端９９０、９９１で完全に開かれると、柔らかい中間部分９４の上部９９９を含む硬質シェル上部分９２と、柔らかい中間部分９４の底部９９８を含む硬質シェルベース部分９３とは、完全に取り外されることが可能になり、コンバーチブル棚スーツケース９０の主要室５０のフレームは、完全に伸ばすことができる。さらに、前フラップ５１、後フラップ５２、スーツケースサイドハンドル５３を備えたサイドフラップ、及びスーツケースサイドハンドル５４を備えていないサイドフラップにそれぞれ縫い付けられた、４つのポケット５１９、５２９、５３９、５４９があってよい。
【０２０１】
図１３，１４，１５，１６，１７，１８，１９，２３，２４，２５を参照すると、荷物の取り扱い、特に空港スタッフによる荷物の取り扱いから主要室５０の２対の外管７０、７１を保護することは、ほとんど存在しない。従って、本開示の別の目的は、外側管７０、７１の２つの対応する対に必要とされる保護管７４、７５の２つの対を提供することである。保護管７４、７５の２つの対は、保護外管７４、７５と呼ばれる。硬質シェル上部分９２及び硬質シェルベース部分９３は、ポリカーボネート、ポリプロピレン又はＡＢＳでできているので、それらは容易に成形することができる。硬質シェル上部分９２の一部として成形された、硬質シェル上部分９２の２対のラグ部分９５、９６と同様に、外管７０、７１の２つの対応する対をしっかりと受け入れる２対の保護外管７４、７５は、硬質シェルベース部分９３の一部として成形される。
【０２０２】
本開示の別の目的はさらに、主要室５０内の内管６０、６１のために２対の保護管６４、６５が存在してよいことを提示することである。保護管６４、６５の２つの対は、保護内管６４、６５と呼ばれる。主要室５０が完全に伸ばされると、保護内管６４、６５の下端の内ネジ６４０、６５０を対応するラグ部分９５、９６の上端の外ネジ９５０、９６０に固定すること、また保護内管６４、６５の下端の内ネジ６２０、６３０を対応する保護外管７４、７５の上端の外ネジ７４０、７５０に固定することによって、２対の保護内管６４、６５は、硬質シェル上部分９２の対応する２対のラグ部分９５、９６を確実に受け入れることができる。結果として、保護内管６４、６５は、完全に延長された主要室５０のフレームをさらに強化する。主要室５０が引っ込められると、２対の保護内管６４、６５は、対応する保護外管７４、７５上にスライドして戻り、保護内管の下端の内ネジ６２０、６３０を、対応する保護外管７４、７５の下端の外ネジ７２０、７３０に固定すること、また保護内管６４、６５の上端の内ネジ６４０、６５０を、対応する保護外管７４、７５の上端の外ネジ７４０、７５０に固定することによって、所定の位置にしっかりと固定することができる。結果として、保護内管６４、６５は、主要室５０内の外管７０、７１をさらに保護する。ときには、機内持ち込みスーツケースなどのスーツケースは、より多くの物品を収容するために拡張して、チェックイン荷物として送る必要がある。従って、拡張可能室９９を、コンバーチブル棚スーツケース９０に追加することができる。拡張可能室９９の上端は、硬質シェル上部分９２に固定的に取り付けられ、その一部となり、拡張可能室９９の下端は、拡張室９９が追加される前の硬質シェル上部分９２の下端と同様に、柔らかい中間部分９４に取り外し可能に結合することができる。この場合、保護内管６４、６５は、拡張室９９内の内管６０、６１を空港スタッフによる荒い荷物の取り扱いから保護する。完全に伸ばされた上記の主要室５０のフレームをさらに強化するために使用される場合と同じ方法で、保護内管６４、６５は、硬質シェル上部分９２のラグ部分９５、９６と、保護外管７４、７５との両方に取り付けられる。拡張主要室５０と延長した主要室５０との間には違いがある。主要室５０を延長し、完全に延長された取り外し可能な吊り棚４０を収容できるようにするには、柔らかい中間部分９４を完全に取り外し、拡張可能室９９を折り畳みモードにする必要がある。これらは、折り畳まれた拡張可能室９９と、前フラップ５１及び後フラップ５２を備えた柔らかい中間部分９４の上部９９９とを有する硬質シェル上部分９２をもたらす。これらはまた、サイドフラップ５３、５４を備えた柔らかい中間部分９４の底部９９８を有する硬質シェルベース部分９３をもたらす。
【０２０３】
本開示の別の目的は、取り外した前フラップ５１及び取り外した後フラップ５２を、ベルクロ（登録商標）ストラップ又は他のタイプのストラップによって硬質シェル上部分９２の下に押し込んで隠すことができることを提示することである。サイドフラップ５３，５４の内側に水平に縫い付けられたサイド解除バックルストラップ５３０、５４０（図示せず）を伴う折り畳まれたサイドフラップ５３、５４が、ストラップ５３０、５４０の端５３２、５４２（図示せず）を水平に前部に向け、他端５３１、５４１（図示せず）を水平に後部に向けて、位置するように、切り離されたサイドフラップ５３、５４は、外側に折り畳まれる。折り畳まれたサイドフラップ５３、５４は、２つの前端５３２、５４２（前と前の接続）と２つの後端５３１、５４１（後と後の接続）との間の接続によって硬質シェルベース部分９３の側面にストラップで固定される。フラップ５１、５２、５３、５４が押し込まれるか、折り畳まれてストラップで固定された後、完全に拡張された拡張室５０は、基本的に、開いた可動棚ユニットである。上記の主要室５０の延長とは異なり、主要室５０の拡張は、柔らかい中間部分９４を取り外す必要はないが、より多くの個人的な品物を収容するために拡張可能室９９をジッパーで開いて拡張する必要がある。拡張されたコンバーチブル棚スーツケース９０は、チェックイン荷物として送ることができる。機内持ち込みスーツケース９０がチェックイン荷物として使用されない場合、拡張室９９は、旅行者の手を解放するためのジャケット、ハンドバッグ又は他の個人的な品物の一時的な収納場所として使用することができる。旅行者が空港ターミナルを歩くとき、彼らは通常、片手で機内持ち込みスーツケース９０を引っ張り、もう一方の手でジャケット又は他のかさばる物品を運ぶ必要がある。従って、これらのかさばる物品を運ぶ代わりに、旅行者は拡張可能室９９を拡張して手を解放し、一時室９９として使用することができる。搭乗の準備ができたら、一時室９９を折り畳んで機内持ち込みサイズのスーツケース９０に戻すことができる。
【０２０４】
図１８，２０，２１，２２を参照すると、本開示の別の目的は、コンバーチブル棚スーツケース９０の硬質シェルベース部分９３のために取り外し可能なライニング内部４０を提供することである。取り外し可能なライニング内部４０は、基本的には開放端のパッキングキューブであり、４つのジッパー４３４があり、それぞれがパッキングキューブの４つのコーナーのうちの１つに沿って配置されている。各ジッパー４３４の閉じた底部４３２が硬質シェルベース部分９３のリムの高さで縫われ、そしてパッキングキューブ４０のリムに垂直に縫われるように、各ジッパー４３４がパッキングキューブ４０の各コーナーに沿って垂直に縫われる。この種のパッキングキューブ４０は、パッキングがパッキングキューブ４０のリムを超えない限り、様々な量の衣類をパッキングすることを可能にする。ジッパー４３４は、パッキングされた衣類に到達するまでパッキングキューブ４０の４つのコーナーでジッパーで開かれ、パッキングキューブの４つの側面に４つのフラップ４３１を形成する。次に、これらのフラップ４３１は、あるフラップ４３１を別のフラップ４３１の上にして、内側に折り畳まれる。パッキングキューブ４０の４つの側面及び底部、及び硬質シェルベース部分９３の内側及び底部に縫い付けられたベルクロ（登録商標）ストリップ４３５によって、取り外し可能なライニング内部４０は硬質シェルベース部分９３に取り外し可能に結合される。又は、ジッパー４３４の閉じた底部４３２のすぐ下のパッキングキューブ４０の周りに水平に、また硬質シェルベース部分９３の内側リムの周りに水平に、ほぼ縫い付けられた開放端ジッパーの２つの半分４３３、４４３によって、取り外し可能なライニング内部４０は硬質シェルベース部分９３に取り外し可能に結合される。
【０２０５】
図１、３、４、５、６、９、２６、２７、２８、２９、３０、３１、３２、３３Ａ、３３Ｂ、４０、４８を参照すると、本開示の別の目的は、取り外し可能な二次室３９を提供することである。これは、取り外して、高さ調節可能な、完全に延長された取り外し可能な第２吊り棚ユニット３２又はテーブルトップ３４を形成することができる。以下に、完全に延長された取り外し可能な第２吊り棚ユニット３２、二次室３９、高さ調節可能なテーブルトップ３４、及び格納式ハンドル組立体８０、８１の間の関係を説明する。格納式ハンドル組立体８０、８１の２つのセットのために２つのハンドル８２、８３が存在する。１つのハンドル８２は、前部格納式ハンドル組立体８０用であり、１つのハンドル８３は、後部格納式ハンドル組立体８１用である。各ハンドル８２、８３は、対応する対の第２内管３０、３１の上端に取り付けられている。第２内管３０、３１の各対は、第１内管６０、６１の２つの対のうちの対応する１つの上端にスライド可能に取り付けられた下端を有し、これらは、２対のラグ部分９５、９６に垂直に定義された対応する通路９５１、９６１にしっかりと受け入れられたものである。ハンドル部分に上向きの力を加えることにより、ハンドル部分（ハンドル８２、８３及びハンドルに取り付けられた内管３０、３１）の長さは、２対の第２内管３０、３１が対応する対の第１内管６０，６１において上方にスライドしたときに所望の高さに調整することができる。対応する第２内管３０、３１の下端に定義されたボア３００、３１０が、対応する第１内管６０、６１の長さに沿って垂直に定義されたボア６００、６１０の１つと整列したときに動きが停止する。対応する第２内管３０、３１の下端に収容された対応するバイアス部材のバネの戻り力によって、対応するスタブ３０１、３１１によって挿入される。これにより第２内管３０、３１の各対を所定の位置にロックする。上記と同じプロセスを使用することにより、必要に応じて、第３内管以上を追加して、格納式ハンドル組立体８０、８１の所望の高さを達成することができる。小さな取り外し可能な二次室３９は、硬質シェル上部分９２の上部に配置されている。二次室３９は、取り外し可能な吊り棚３５から組み立てられる。取り外し可能な第１棚３５０は、双方向開放端ジッパー３２２、３２６で硬質シェル上部分９２の上エッジに取り付けられている。前側がカーテンロッド用の支持ブラケットと同様の２つの拡張支持ブラケット３５４を有し、後側が２つの同様の拡張支持ブラケット３５５（図示せず）を有するように、取り外し可能な第１棚３５０は成形される。取り外し可能な第１棚３５０の各側に１対ずつある、２対の延長支持ブラケット３５４、３５５は、対応するハンドル８２、８３の溝８００、８０１によって受け取られ、ブラケット３５４、３５５を所定の位置にしっかりと保持し、延長された支持ブラケット３５４、３５５の対が、押し込み部材（ボタン）８２０、８３０の両側で格納式ハンドル組立体８０、８１の対応するハンドル８２、８３の下側を保護的につかむことを可能にする。第２棚３５１は、双方向開放端ジッパー３２１、３２５で第１棚３５０の上エッジに取り付けられている。第２棚３５１の上部は、テーブルトップ３４として使用することができる。第３棚３５２は、第１棚３５０及び第２棚３５１よりも小さいので、第１棚３５０及び第２棚３５１の両方の中に収まることができる。第２棚３５１の下端を第１棚３５０の上エッジに取り付ける双方向開放端ジッパー３２１、３２５の内側に配置された双方向開放端ジッパー３２３、３２８で、第３棚３５２の上端は第２棚３５１の下エッジに取り付けられている。第２棚３５１の下端及び第１棚３５０の上端がジッパーで閉じられると、第３棚３５２は第１棚３５０の内側に受け入れられ、従って、取り外し可能な二次室３９の内側に隠される。第３棚３５２の上部及び下部は、同様に、取り外し可能なフラップ３５５、３５６で囲まれ、硬質シェル上部分９２の下部は、取り外し可能なフラップ３５７で囲まれている。フラップ３５５、３５６、３５７は、開放端ジッパーの２つの半分を完全に取り外すことによって取り外すことができる。二次室３９は、第１、第２、第３棚３５０、３５１、３５２及び硬質シェル上部分９２が互いに完全に切り離されたときに、完全に延長された取り外し可能な第２吊り棚ユニット３２を形成する。第１棚３５０は、その延長された支持ブラケット３５４、３５５が格納式ハンドル組立体８０、８１の２つのハンドル８２、８３の溝８００、８０１の上側をしっかりとつかむ、完全に延長された取り外し可能な第２吊り棚ユニット３２の上部棚になる。第２棚３５１が一番下の棚になり、第３棚３５２が中央の棚になる。二次室３２（第２吊り棚ユニット３２）は、第２棚３５１を第１棚３５０の上端から完全に取り外し、次に第２棚３５１を第１棚３５０の下エッジに取り付け、延長できるようにすることにより、高さ調節可能なテーブルトップ３４として使用することができる。また、対応するハンドル８２、８３の溝８００、８０１によって受けられる第１棚３５０の延長された支持ブラケット３５４、３５５が、ブラケット３５４、３５５を所定の位置にしっかりと保持し、延長された支持ブラケット３５４、３５５の対が押し部材（ボタン）８２０、８３０の両側にある格納式ハンドル組立体８０、８１の対応するハンドル８２、８３の上側をつかむことを可能にすることにより、高さ調節可能なテーブルトップ３４として使用することができる。
【０２０６】
図１，９，３３Ａ，３３Ｂ，３４，３５，３６，３７，３８，３９，４０を参照すると、第１棚３５０はないのであるが、二次室３９に別の変形例を提供することが本開示の別の目的である。第２棚３５１は、双方向開放端ジッパー３２５、３２６で硬質シェル上部分９２の上エッジに取り付けられている。前側がカーテンロッド用の支持ブラケットと同様の２つの拡張支持ブラケット３５４を有し、後側が２つの同様の拡張支持ブラケット３５５（図示せず）を有するように、取り外し可能な第２棚３５１は成形される。取り外し可能な第２棚３５１の各側に１対ずつある、２対の拡張支持ブラケット３５４，３５５は、対応するハンドル８２、８３の溝８００、８０１によって受け取られ、ブラケット３５４、３５５を所定の位置にしっかりと保持し、押し込み部材（ボタン）８２０、８３０の両側で格納式ハンドル組立体８０、８１の対応するハンドル８２、８３の下側３３９を、拡張支持ブラケット３５４、３５５の対が保護するようにつかむことを可能にする。取り外し可能な第２棚３５１はまた、折り畳まれたテーブルトップ３３のメインテーブルトップ３３３の下側３３０が、第２棚３５１の下エッジを硬質シェル上部分９２の上エッジに取り付ける双方向開放端ジッパー３２５、３２６の内側内の第２棚３５１の下側３３５に溶かし込まれる。このテーブルトップ３３は、３３３と同じ長さで半分の幅を持つ２つのフラップ３３１，３３２に、フラップヒンジ３３４によってその長さに沿って両側で取り付けられたメインテーブルトップ３３３を含む。第２棚３５１の下エッジ及び硬質シェル上部分９２の上エッジがジッパーで閉じられると、折り畳まれたテーブル３３が受け取られ、硬質シェル上部分９２の内側に隠される。折り畳まれたテーブルトップ３３は、２対のサイド解除バックルストラップ３３６によって折り畳まれてストラップ止めされ、各対は、フラップ３３１、３３２の長さに沿った遠位端部分で、フラップ３３１、３３２の対応する下側３３７に固定される。硬質シェル上部分９２の上エッジ及び第２棚３５１の下エッジに沿った双方向開放端ジッパーの２つの半分３２５、３２６が完全に取り外され、格納式ハンドル組立体８０、８１の２つの対応するハンドル８２、８３の溝の上側３３８をしっかりとつかむ２対の延長支持ブラケット３５４、３５５で、取り外された第２棚３５１が裏返されると、高さが調整できるテーブルトップ３３が形成される。２対のサイド解除バックルストラップ３３６の分離は、２つのフラップ３３１、３３２が両側面でメインテーブルトップ３３３を延長し、延長されたテーブルトップ３３を形成することを可能にする。ハンドル部分８２、８３に上向きの力を加えることによって、ハンドル８２、８３に直接取り付けられた２対の内管、即ち第２内管３０、３１が、対応する対の内管、即ち第１内管６０，６１内で上方にスライドするときに、延長されたテーブルトップ３３は所望の高さに調整することができる。対応する第２内管３０、３１の下端に定義されたボア３００、３１０が、対応する第１内管６０、６１の長さに沿って垂直に定義されたボア６００、６１０のそれぞれと整列したときに、動きを停止する。対応する第２内管３０，３１の下端に収容された対応するバイアス部材のバネの戻り力によって、対応するスタブ３０２、３１１によって挿入される。これにより、第２内管３０、３１の各対を所定の位置にロックする。第２棚３５１が拡張テーブルトップ３３として使用される場合、吊り下げられた取り外されたサイド解除バックル３３６の対は、対応して互いにきちんと結合されるべきである。第２棚３５１が延長した第２吊り棚ユニット３２の一部として使用される場合、切り離されたサイド解除バックルストラップ３３６は吊り下げられたままにされ、それに対応して、切り離された棚又は切り離された複数の棚３５のサイド解除バックルストラップ３３６に結合されるべきである。
【０２０７】
図４１，４２，４３を参照すると、本開示の別の目的は、調整可能な高さを備えたテーブルトップ３３の別の変形例を提供することである。折り畳まれたテーブルトップ３３の新しい変形例は、メインテーブルトップ３３３の両側に取り付けられたフラップ３６１、３６２がメインテーブルトップ３３３と同じ長さ及び幅を有することを除いて、前述の折り畳まれたテーブルトップ３３と非常に類似している。そして、フラップヒンジ３３４に取り付けられたフラップ３６１、３６２の長さに沿った下側が、上向き及び外向きに傾斜していて、フラップ３６１、３６２が折り畳まれ、メインテーブルトップ３３３上に水平に平らに置かれることを可能にする。さらに、ポケット３６３は、２つのフラップ３６１、３６２のうちの１つ３６２の下側３６７に、開放端ジッパー３６５、３６４で取り付けられている。ポケット３６３は、ジッパー３６６を備えた開口３８０が、フラップヒンジ３３４に取り付けられたフラップ３６２の側面に沿っているように配置されている。
【０２０８】
図１、６、７、９、１１、１６、４４、４５、４６を参照すると、本開示の別の目的は、コンバーチブル棚スーツケース９０のいくつかの変形例を提供することである。上記のような柔らかいコンバーチブル棚スーツケース９０に加えて、硬質シェルスーツケース２０が存在する。柔らかいスーツケース９０と硬質シェルスーツケース２０との間の１つの大きな違いは、主要室５０の柔らかい中間部分９４である。硬質シェルスーツケース２０は、硬質シェル上部分２２及び硬質シェルベース部分２３のみを有し、取り外し可能な柔らかい中間部分９４を有さない。硬質シェル前フラップ２５及び硬質シェル後フラップ２６は、硬質シェル上部分２２の部品として成形されている。硬質シェルサイドフラップ２７、２８は、硬質シェルベース部分２３の部品として成形されている。硬質シェル上部分２２及び硬質シェルベース部分２３は、双方向開放端ジッパー２２４、２２５によって取り外し可能に結合されている。双方向開放端ジッパー２２４、２２５は、上述した前フラップ２５、後フラップ２６、サイドフラップ２７，２８を作成するジグザグの形態で、完全に取り外すことができる。従って、硬質シェルコンバーチブル棚スーツケース２０が双方向開放端ジッパー２２４、２２５によって取り外し可能に切り離され、主要室５０のフレームが完全に伸ばされて、格納式ハンドル組立体８０、８１の２つのセットを伸ばすことによって、完全に伸ばされた取り外し可能な吊り棚３５を収容することができる。硬質シェル前フラップ２５及び硬質シェル後フラップ２６が上部棚をブロックするため、硬質シェルスーツケース２０の前又は後からは、下部棚のみが見える。硬質シェルサイドフラップ２７、２８が下部棚をブロックするので、硬質シェルスーツケース２０の側方からは、上部棚のみが見える。さらに、硬質シェルスーツケース２０は、保護外管７４、７５がそれらの全長でサイドフラップ２７、２８に溶かし込まれるように成形されているため、保護内管６４、６５及びベルクロ（登録商標）スリーブ５６を有さない。硬質シェルコンバーチブル棚スーツケース２０と柔らかいコンバーチブル棚スーツケース９０とのハイブリッド１０であるコンバーチブル棚スーツケース９０の別の変形例が存在する。ハイブリッドのコンバーチブル棚スーツケース１０は、柔らかいコンバーチブル棚スーツケース９０に属するものと同様の硬質シェル上部分９２を有し、硬質シェルコンバーチブル棚スーツケース２０に属するものと同様の硬質シェルベース部分２３を有する。ハイブリッドのコンバーチブル棚スーツケース１０では、柔らかい前フラップ５１及び柔らかい後フラップ５２を、ベルクロ（登録商標）ストラップ又は他のタイプのストラップによって硬質シェル上部分９２の下に押し込んで隠すことができるので、全ての棚及びその内容物を前と後とで見ることができる。しかしながら、硬質シェルサイドフラップ２７、２８が下部棚をブロックするので、上部棚及びそれらの内容物のみを主要室５０の側方に見ることができる。ハイブリッドのコンバーチブル棚スーツケース１０は、硬質シェルコンバーチブル棚スーツケース２０セグメントで同様に言及されているように、保護内管６４、６５及びベルクロ（登録商標）スリーブ５６を有さない。
【０２０９】
図５１及び５２を参照すると、本開示の別の目的は、手押し車が機内持ち込みのバッグ及び他の小さな物品を輸送するのを助けるように、コンバーチブル棚スーツケースを提供することである。コンバーチブル棚スーツケース９０は、２組の格納式ハンドル組立体８０、８１を有する。１つの格納式ハンドル組立体８０は、コンバーチブル棚スーツケース９０の前部に配置され、他の格納式ハンドル組立体８１は、コンバーチブル棚スーツケース９０の後部に配置される。主要室５０の上のハンドル部分８２、８３が伸ばされるとき、それらは、押される間、小さいスーツケース又はバッグを所定の位置に固定するのを助ける。コンバーチブル棚スーツケース９０は、各スーツケース上の４対のサイド解除バックルストラップ３３６によって互いに結合することができる。２対は、硬質シェル上部分９２の両側にしっかりと固定され、他の２対は、硬質シェルベース部分９３の両側にしっかりと固定される。２つのコンバーチブル棚スーツケース９０は、バンパーからバンパーに整列し、１つのスーツケースの前部を他のスーツケースの後部に配置し、１つのスーツケース９０のサイド解除バックルストラップ３３６により別のスーツケース９０の対応するものに固定される。２つの内側ハンドル８２、８３部分が引っ込められ、２つの外側ハンドル８２、８３部分が伸ばされ、より小さなスーツケース及びバッグを、押される間は所定の位置に固定する。同じプロセスを使用して、第３コンバーチブル棚スーツケース９０を結合することができる。
【０２１０】
図３、５、８、９、４７、４８、４９、５０を参照すると、これまでは、コンバーチブル棚スーツケース９０の変形例は、主要室５０の取り外し可能な吊り棚３５でのみ言及されているが、硬質シェル中間部分棚１７、９１、９７では言及されていない。実際のところ、硬質シェル上部分９２及び硬質シェルベース部分９３は、それぞれ、主要室５０内の硬質シェル上部棚及び硬質シェル下部棚である。硬質シェル上部分９２と硬質シェルベース部分９３との間のスペースは、取り外し可能な吊り棚３５によってよりよく構成するためにさらに分割することができる。同様に、硬質シェル上部分９２と硬質シェルベース部分９３との間のスペースは、取り外し可能な吊り棚３５の代わりに、硬質シェル中間部分棚１７、９１、９７によってよりよく構成するためにさらに分割することができる。しかしながら、硬質シェル中間部分棚１７、９１、９７のそれぞれについて、２対の内管６０、６１が硬質シェル上部分９２に取り付けられるのと同じ形態で、２対の管１が、硬質シェル中間部分棚１７、９１、９７に追加されて取り付けられる。言い換えれば、硬質シェル中間部分棚１７、９１、９７間のスペースを拡張するために、硬質シェル中間部分棚１７、９１、９７のそれぞれが、硬質シェル上部分９２が２対の内管６０、６１に取り付けられているのと同様に、管１の異なるセット（２対）に取り付けられなければならない。その一方で、取り外し可能な吊り棚３５の変形例に関してセグメントで上述したように、硬質シェルベース部分９３が２対の外管７０、７１に取り付けられている。ただし、シェル中間部分棚１７が、硬質シェルベース部分９３にしっかりと固定されている外管７０、７１に取り付けられているように、硬質シェル中間部分棚１７、９１、９７が同じセット（２対）の管１に取り付けられている場合は、硬質シェル中間部分棚１７、９１、９７間のスペースは、拡張できない。従って、図４７，４８，４９，５０に示したものを含むコンバーチブル棚スーツケース９０の多くの変形例は、硬質シェル上部分２２、９２、硬質シェルベース部分２３、９３、取り外し可能な吊り棚３５、硬質シェル中間部分棚１７、９１、９７、取り外し可能な柔らかい中間部分９４、及び取り外し可能な二次室３９の組み合わせを有することによって作成することができる。
【図１】
2021517039.tif 000003
【図２】
2021517039.tif 000004
【図３】
2021517039.tif 000005
【図４】
2021517039.tif 000006
【図５】
2021517039.tif 000007
【図６】
2021517039.tif 000008
【図７】
2021517039.tif 000009
【図８】
2021517039.tif 000010
【図９】
2021517039.tif 000011
【図１０】
2021517039.tif 000012
【図１１】
2021517039.tif 000013
【図１２】
2021517039.tif 000014
【図１３】
2021517039.tif 000015
【図１４】
2021517039.tif 000016
【図１５】
2021517039.tif 000017
【図１６】
2021517039.tif 000018
【図１７】
2021517039.tif 000019
【図１８】
2021517039.tif 000020
【図１９】
2021517039.tif 000021
【図２０】
2021517039.tif 000022
【図２１】
2021517039.tif 000023
【図２２】
2021517039.tif 000024
【図２３】
2021517039.tif 000025
【図２４】
2021517039.tif 000026
【図２５】
2021517039.tif 000027
【図２６】
2021517039.tif 000028
【図２７】
2021517039.tif 000029
【図２８】
2021517039.tif 000030
【図２９】
2021517039.tif 000031
【図３０】
2021517039.tif 000032
【図３１】
2021517039.tif 000033
【図３２】
2021517039.tif 000034
【図３３Ａ】
2021517039.tif 000035
【図３３Ｂ】
2021517039.tif 000036
【図３４】
2021517039.tif 000037
【図３５】
2021517039.tif 000038
【図３６】
2021517039.tif 000039
【図３７】
2021517039.tif 000040
【図３８】
2021517039.tif 000041
【図３９】
2021517039.tif 000042
【図４０】
2021517039.tif 000043
【図４１】
2021517039.tif 000044
【図４２】
2021517039.tif 000045
【図４３】
2021517039.tif 000046
【図４４】
2021517039.tif 000047
【図４５】
2021517039.tif 000048
【図４６】
2021517039.tif 000049
【図４７】
2021517039.tif 000050
【図４８】
2021517039.tif 000051
【図４９】
2021517039.tif 000052
【図５０】
2021517039.tif 000053
【図５１】
2021517039.tif 000054
【図５２】
2021517039.tif 000055
【図５３Ａ】
2021517039.tif 000056
【図５３Ｂ】
2021517039.tif 000057
【図５４】
2021517039.tif 000058
【図５５】
2021517039.tif 000059
【図５６】
2021517039.tif 000060
【図５７】
2021517039.tif 000061
【図５８】
2021517039.tif 000062
【図５９】
2021517039.tif 000063
【図６０】
2021517039.tif 000064
【図６１】
2021517039.tif 000065
【図６２Ａ】
2021517039.tif 000066
【図６２Ｂ】
2021517039.tif 000067
【図６３Ａ】
2021517039.tif 000068
【図６３Ｂ】
2021517039.tif 000069
【図６３Ｃ】
2021517039.tif 000070
【図６３Ｄ】
2021517039.tif 000071
【図６３Ｅ】
2021517039.tif 000072
【図６３Ｆ】
2021517039.tif 000073
【図６４】
2021517039.tif 000074
【図６５】
2021517039.tif 000075
【国際調査報告】
2021517039.tif 000076
2021517039.tif 000077